(57)【要約】【課題】観察角度の変化と判別具の重ね合わせという異なる観察条件で出現する潜像画像が付与された偽造防止形成体とその作成方法を提供する。【解決手段】基材上に、第１の潜像画像及び第２の潜像画像が重複して配置され、第１の潜像画像は、盛り上がりを有する第１の画線が、第１の方向に複数配置された模様部と、模様部とは異なる位相で第１の画線が複数配置された背景部と、盛り上がりを有し、所定の範囲内で第１の画線に対して略半分の面積率で形成された輪郭画線が、第１の画線との間に空白部を有して第１の画線とは異なる位相で複数配置された輪郭部から成り、第２の潜像画像は、第１の方向に複数配置された、盛り上がりを有する第２の画線から成り、第２の画線は、第１の画線上に積層して配置され、基材に対して観察角度を変化させることで、第２の潜像画像が視認され、判別具を重ねることで、第１の潜像画像のネガ画像又はポジ画像が視認可能となる。【選択図】図１
2015058598.tif 000002
【特許請求の範囲】
【請求項１】
基材上における少なくとも一部に、印刷領域を備え、
前記印刷領域内に、第１の潜像画像及び第２の潜像画像が重複して配置され、
前記第１の潜像画像は、模様部と、前記模様部の少なくとも一部の輪郭に配置された輪郭部と、前記模様部及び前記輪郭部の背景に配置された背景部を備え、
前記模様部には、前記基材とは異なる第１の色材で形成された盛り上がりを有する第１の画線が、第１の方向に規則的に複数配置され、
前記背景部には、前記第１の画線が、前記模様部における前記第１の画線とは異なる位相で、前記第１の方向に規則的に複数配置され、
前記輪郭部には、前記第１の色材で形成された盛り上がりを有する輪郭画線が、前記第１の画線との間に空白部を有して、前記第１の画線とは異なる位相で複数配置され、
前記輪郭画線は、所定の範囲内で前記第１の画線に対して略半分の面積率で形成され、
前記第２の潜像画像は、前記基材とは異なる第２の色材により、前記第１の方向に規則的に複数配置された、盛り上がりを有する第２の画線から成り、
前記第２の画線は、前記第１の画線上に積層して配置され、
前記第２の色材は、前記第１の色材より明度が高く透過性を有する有色、又は、前記第１の色材と等色であり、
前記基材に対して観察角度を変化させることで、前記第２の潜像画像が視認され、
判別具を重ねることで、前記第１の潜像画像のネガ画像又はポジ画像が視認可能となることを特徴とする偽造防止形成体。
【請求項２】
前記輪郭画線は、隣り合う前記第１の画線との距離が等しくなるように、輪郭画線の一部の形状を異ならせて配置されたことを特徴とする請求項１記載の偽造防止形成体。
【請求項３】
前記印刷領域内に、さらに可視画像が重複して配置され、
前記可視画像は、前記基材とは異なる第３の色材により、前記第１の方向に規則的に複数配置された第３の画線から成り、
前記第３の画線は、前記第１の画線及び前記第２の画線と重ならない位置に配置され、
前記基材に対して観察角度を変化させることで、前記可視画像と前記第２の潜像画像が変化して視認されることを特徴とする請求項１又は２記載の偽造防止形成体。
【請求項４】
前記第３の画線は、第１の画線と隣接して配置されたことを特徴とする請求項３記載の偽造防止形成体。
【請求項５】
複数の前記第３の画線は、一本の前記第３の画線内において、少なくとも二箇所以上画線幅が異なる画線を複数有することで、前記可視画像が階調画像として視認されることを特徴とする請求項３又は４記載の偽造防止形成体。
【請求項６】
前記各画像を形成する色材のうち、少なくとも一つの色材が、一つの機能性材料を含み、二つ以上の色材が機能性材料を含む場合、互いに異なる機能性材料を含むことを特徴とする請求項１乃至５のいずれか一項記載の偽造防止形成体。
【請求項７】
基材上に、盛り上がりを有する万線状の画線から成る第１の潜像画像及び第２の潜像画像を積層して配置したことで、前記基材に対する観察角度の変化により、盛り上がりを有する画線の死角を利用して前記第２の潜像画像が視認され、判別具の介在により前記第１の潜像画像が視認される偽造防止形成体における画線データを、入力部、編集部及び記憶部を少なくとも備えた作成装置を用いて作成する方法であって、
前記第１の潜像画像の原画像である模様部画像データ及び前記第２の潜像画像の原画像である第２の潜像画像データを前記入力部又は前記編集部で作成する、画像データ取得ステップと、
前記第１の潜像画像を構成する画線の基準となる万線状の画線に対して、位置座標、ピッチ及び配列方向を設定し、基本線データを前記入力部又は前記編集部で作成する、基本線データ取得ステップと、
前記編集部で、前記基本線データと前記模様部画像データを重ねたのち、前記模様部画像データと重複する前記基本線データの位相を第１の方向にずらして、模様部データと背景部データに区分けしたのち、前記模様部データの輪郭において、前記模様部データを構成する画線データの不連続箇所に、前記編集部で、輪郭画線データを配置し、第１の潜像画像データを作成する、第１の潜像画像データ作成ステップと、
前記編集部で、前記第１の潜像画像データと前記第２の潜像画像データを重ねて、前記第２の潜像画像データと重複しない前記第１の潜像画像データを除去してマスク画像データを作成する、マスク処理ステップと、
前記第１の潜像画像及び前記第２の潜像画像を構成する第１の画線及び第２の画線の画線幅及び画線高さを前記編集部で設定する、形状設定ステップと、  
前記第１の画線及び前記第２の画線の色を前記編集部で設定する、色設定ステップと、
前記形状設定ステップ及び前記色設定ステップで設定した条件を基に、前記第１の潜像画像データ及び前記マスク画像データから、第１の画線データ及び第２の画線データを前記編集部で作成する、画線データ作成ステップとを備えることを特徴とする偽造防止形成体の画線データ作成方法。
【請求項８】
前記基材上に、さらに可視画像を積層して配置したことで、前記基材に対する観察角度の変化により、盛り上がりを有する画線の死角を利用して前記可視画像と前記第２の潜像画像が変化して視認される偽造防止形成体における画線データを作成する方法であって、
前記画線データ取得ステップにおいて、さらに、前記可視画像の原画像である可視画像データを前記入力部又は前記編集部で作成し、
前記マスク処理ステップにおいて、さらに、前記編集部で、前記第１の潜像画像データと前記可視画像データを重ねて、前記可視画像データと重複しない前記第１の潜像画像データを除去して、前記第１の潜像画像データのマスク画像データを作成し、
前記形状設定ステップにおいて、さらに、前記可視画像を構成する第３の画線の画線幅及び画線高さを前記編集部で設定し、
前記色設定ステップにおいて、さらに、前記第３の画線の色を前記編集部で設定し、
画線データ作成ステップにおいて、さらに、前記形状設定ステップ及び前記色設定ステップで設定した条件を基に、前記可視画像データ及び前記第１の潜像画像データのマスク画像データから、第３の画線データを前記編集部で作成することを特徴とする請求項７記載の偽造防止形成体の画線データ作成方法。
【請求項９】
前記偽造防止形成体を複数作成する方法において、
前記画像データ取得ステップにおいて作成する前記各画像データのうち、少なくとも一種類の画像データにおいて、少なくとも二つ以上の異なる画像データを、前記入力部又は前記編集部で作成したのち前記記憶部に格納し、
前記記憶部に格納した複数の画像データの中から所望のデータを選択する、データ選択ステップと、
前記データ選択ステップにおいて選択した前記所望の画像データを基に、前記画線データ作成ステップによって作成した各画線データを、異なる画線データとして出力する積層出力ステップを、さらに有することを特徴とする請求項７又は８記載の偽造防止形成体の画線データ作成方法。
【発明の詳細な説明】
【技術分野】
【０００１】
本発明は、銀行券、旅券、有価証券等の貴重印刷物に偽造や複製の防止用として施す、偽造防止形成体及び偽造防止形成体の画線データ作成方法に関するものである。
【背景技術】
【０００２】
銀行券、旅券、有価証券等の貴重印刷物は、その性質上偽造や複製がされにくいことが要求される。また、貴重印刷物では、印刷面上に複数の偽造防止技術を有する形態が多く見られるが、印刷面には限りがある。よって、複数の真偽判別方法を有する偽造防止技術が求められている。
【０００３】
特許文献１には、観察角度の変化と判別具の重ね合わせにより、それぞれ潜像画像が出現する印刷物が開示されている。基材上に、画線幅と高さが一部異なる第１の画線群を配置し、第１の画線群の非画線部に一対となる二種類のネガ画線とポジ画線から成る第２の画線群を配置する。正面からは、第１の画線の画線幅の変化により可視画像が視認され、観察角度の変化により、第１の画線群の高低差により第１の潜像画像が視認され、さらに、判別具を重ねることで、第２の画線群の一部が顕像化することで第２の潜像画像が視認される
【先行技術文献】
【特許文献】
【０００４】
【特許文献１】特許第４９３１２６５号
【発明の概要】
【発明が解決しようとする課題】
【０００５】
特許文献１は、画線の形状を一部変化させることで、観察角度の変化と判別具の重ね合わせにより、それぞれ異なる画像を出現することが可能となった。しかしながら、各画線は、一つの凹版画線の画線幅及び画線高さを変化させることで形成している。よって、観察角度の変化と判別具の重ね合わせにより出現する画像は、同一インキで形成されるため、各画像の色や、インキに付与する機能性を異ならせることは不可能である。
【０００６】
また、特許文献１は、凹版印刷により印刷物を形成することから、版面及び大型の凹版印刷機を用いる必要がある。よって、簡易に作成することはできず、非常に偽造防止効果が高い。しかしながら、その反面、凹版印刷は、版面及び大型の印刷機を用いることから、コストがかかる。さらに、版面を用いる作成方法では、付与する画像が固定情報であり、潜像画像を可変情報として付与することは、コスト及び作業負荷が非常に膨大となる。
【０００７】
近年、インクジェット・プリンタ、レーザー・プリンタ等の無版のデジタル印刷機の普及により、ドキュメント・データ（書類データ）から製版工程を介さずに直接印刷することが可能となっている。よって、ユーザが自由に潜像画像を可変情報として付与することが可能な貴重印刷物を、デジタル印刷機を用いて簡易に作成する方法が求められている。
【０００８】
そこで、本発明の目的は、観察角度の変化及び判別具の重ね合わせという異なる観察条件で、画像のチェンジ効果に加え、各画像の色やインキに付与する機能性を異ならせることが可能な形成体を提供することにある。
【０００９】
さらには、観察角度の変化及び判別具の重ね合わせという異なる観察条件で出現する潜像画像が付与された偽造防止形成体を、デジタル印刷機で潜像画像を可変情報として、簡易に作成する方法を提供することにある。
【課題を解決するための手段】
【００１０】
前述の目的を達成するために、請求項１記載の発明は、基材上における少なくとも一部に、印刷領域を備え、印刷領域内に、第１の潜像画像及び第２の潜像画像が重複して配置され、第１の潜像画像は、模様部と、模様部の少なくとも一部の輪郭に配置された輪郭部と、模様部及び輪郭部の背景に配置された背景部を備え、模様部には、基材とは異なる第１の色材で形成された盛り上がりを有する第１の画線が、第１の方向に規則的に複数配置され、背景部には、第１の画線が、模様部における第１の画線とは異なる位相で、第１の方向に規則的に複数配置され、輪郭部には、第１の色材で形成された盛り上がりを有する輪郭画線が、第１の画線との間に空白部を有して、第１の画線とは異なる位相で複数配置され、輪郭画線は、所定の範囲内で第１の画線に対して略半分の面積率で形成され、第２の潜像画像は、基材とは異なる第２の色材により、第１の方向に規則的に複数配置された、盛り上がりを有する第２の画線から成り、第２の画線は、第１の画線上に積層して配置され、第２の色材は、第１の色材より明度が高く透過性を有する有色、又は、第１の色材と等色であり、基材に対して観察角度を変化させることで、第２の潜像画像が視認され、判別具を重ねることで、第１の潜像画像のネガ画像又はポジ画像が視認可能となることを特徴とする偽造防止形成体である。
【００１１】
また、請求項２記載の偽造防止形成体は、輪郭画線を、隣り合う第１の画線との距離が等しくなるように、輪郭画線の一部の形状を異ならせて配置されたことを特徴とする。
【００１２】
また、請求項３記載の偽造防止形成体は、印刷領域内に、さらに可視画像が重複して配置され、可視画像は、基材とは異なる第３の色材により、第１の方向に規則的に複数配置された第３の画線から成り、第３の画線は、第１の画線及び第２の画線と重ならない位置に配置され、基材に対して観察角度を変化させることで、可視画像と第２の潜像画像が変化して視認されることを特徴とする。
【００１３】
また、請求項４記載の偽造防止形成体は、第３の画線を、第１の画線と隣接して配置されたことを特徴とする。
【００１４】
また、請求項５記載の偽造防止形成体は、複数の第３の画線は、一本の第３の画線内において、少なくとも二箇所以上画線幅が異なる画線を複数有することで、可視画像が階調画像として視認されることを特徴とする。
【００１５】
また、請求項６記載の偽造防止形成体は、各画像を形成する色材のうち、少なくとも一つの色材が、一つの機能性材料を含み、二つ以上の色材が機能性材料を含む場合、互いに異なる機能性材料を含むことを特徴とする。
【００１６】
請求項７記載の偽造防止形成体の画線データ作成方法は、基材上に、盛り上がりを有する万線状の画線から成る第１の潜像画像及び第２の潜像画像を積層して配置したことで、基材に対する観察角度の変化により、盛り上がりを有する画線の死角を利用して第２の潜像画像が視認され、判別具の介在により第１の潜像画像が視認される偽造防止形成体における画線データを、入力部、編集部及び記憶部を少なくとも備えた作成装置を用いて作成する方法であって、第１の潜像画像の原画像である模様部画像データ及び第２の潜像画像の原画像である第２の潜像画像データを入力部又は編集部で作成する、画像データ取得ステップと、第１の潜像画像を構成する画線の基準となる万線状の画線に対して、位置座標、ピッチ及び配列方向を設定し、基本線データを入力部又は編集部で作成する、基本線データ取得ステップと、編集部で、基本線データと模様部画像データを重ねたのち、模様部画像データと重複する基本線データの位相を第１の方向にずらして、模様部データと背景部データに区分けしたのち、模様部データの輪郭において、模様部データを構成する画線データの不連続箇所に、編集部で、輪郭画線データを配置し、第１の潜像画像データを作成する、第１の潜像画像データ作成ステップと、編集部で、第１の潜像画像データと第２の潜像画像データを重ねて、第２の潜像画像データと重複しない第１の潜像画像データを除去してマスク画像データを作成する、マスク処理ステップと、第１の潜像画像及び第２の潜像画像を構成する第１の画線及び第２の画線の画線幅及び画線高さを編集部で設定する、形状設定ステップと、第１の画線及び第２の画線の色を編集部で設定する、色設定ステップと、形状設定ステップ及び色設定ステップで設定した条件を基に、第１の潜像画像データ及びマスク画像データから、第１の画線データ及び第２の画線データを編集部で作成する、画線データ作成ステップとを備えることを特徴とする。
【００１７】
また、請求項８記載の偽造防止形成体の画線データ作成方法は、基材上に、さらに可視画像を積層して配置したことで、基材に対する観察角度の変化により、盛り上がりを有する画線の死角を利用して可視画像と第２の潜像画像が変化して視認される偽造防止形成体における画線データを作成する方法であって、画線データ取得ステップにおいて、さらに、可視画像の原画像である可視画像データを入力部又は編集部で作成し、マスク処理ステップにおいて、さらに、編集部で、第１の潜像画像データと可視画像データを重ねて、可視画像データと重複しない第１の潜像画像データを除去して、第１の潜像画像データのマスク画像データを作成し、形状設定ステップにおいて、さらに、可視画像を構成する第３の画線の画線幅及び画線高さを編集部で設定し、色設定ステップにおいて、さらに、第３の画線の色を編集部で設定し、画線データ作成ステップにおいて、さらに、形状設定ステップ及び色設定ステップで設定した条件を基に、可視画像データ及び第１の潜像画像データのマスク画像データから、第３の画線データを編集部で作成することを特徴とする。
【００１８】
また、請求項９記載の偽造防止形成体の画線データ作成方法は、偽造防止形成体を複数作成する方法において、画像データ取得ステップにおいて作成する各画像データのうち、少なくとも一種類の画像データにおいて、少なくとも二つ以上の異なる画像データを、入力部又は編集部で作成したのち記憶部に格納し、記憶部に格納した複数の画像データの中から所望のデータを選択する、データ選択ステップと、データ選択ステップにおいて選択した所望の画像データを基に、画線データ作成ステップによって作成した各画線データを、異なる画線データとして出力する積層出力ステップを、さらに有することを特徴とする。
【発明の効果】
【００１９】
以上のような本発明の構成における形成体は、盛りのある印刷画線を多層構成とすることで、各層を構成するインキの色及び機能性を異ならせることが可能となる。よって、観察角度の変化及び判別具の重ね合わせという異なる観察条件下における画像のチェンジ効果に加え、それぞれ画像の色及び機能性が異なる画像を形成することが可能となる。
【００２０】
また、平坦な基材に対して盛り上がりを有するインキを複数積層することで形成体を作成することで、観察角度の変化により潜像画像が出現する形成体を、デジタル印刷機により作成することが可能となる。
【００２１】
さらに、基材にあらかじめ凹凸をエンボス、すき入れ等で付与する必要がないことから、画像のデザイン、形状、色等をすべて、ユーザが自由に可変情報として作成することが可能となる。
【図面の簡単な説明】
【００２２】
【図１】偽造防止形成体（Ｓ）を有する印刷物（Ｔ）を示す平面図及び模式図。
【図２】偽造防止形成体（Ｓ）を示す平面図及び潜像画像の拡大図。
【図３】第１の潜像画像（Ａ）を説明する模式図。
【図４】輪郭画線（２ｃ）を説明する模式図。
【図５】濃度の不均衡を説明する模式図。
【図６】輪郭画線（２ｃ）を説明する模式図。
【図７】画線の一例を示す図。
【図８】第２の潜像画像（Ｂ）を説明する模式図。
【図９】可視画像（Ｃ）を説明する模式図。
【図１０】各画像（Ａ、Ｂ、Ｃ）の積層状態を示す模式図。
【図１１】形成体（Ｓ）を、第１の観察角度（Ｅ１）から観察した際の模式図。
【図１２】形成体（Ｓ）を、第２の観察角度（Ｅ２）から観察した際の模式図。
【図１３】形成体（Ｓ）を、判別具（Ｆ）を用いて観察した際の模式図。
【図１４】形成体（Ｓ）を、判別具（Ｆ）をずらして観察した際の模式図。
【図１５】各画像（Ａ、Ｂ）の積層状態を示す模式図。
【図１６】形成体（Ｓ）を、第１の観察角度（Ｅ１）から観察した際の模式図。
【図１７】階調画像である可視画像（Ｃ）を説明する模式図。
【図１８】作成装置（Ｍ）を示すブロック図。
【図１９】形成体（Ｓ）の作成方法を示すフローチャート。
【図２０】基本線データを示す模式図。
【図２１】第１の潜像画像データ作成ステップを示す模式図。
【図２２】第２の潜像画像データ（ｉＢ）のマスク処理ステップを示す模式図。
【図２３】各画像（Ａ、Ｂ、Ｃ）を構成する画線を示す模式図。
【図２４】各画線データを示す模式図。
【発明を実施するための形態】
【００２３】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００２４】
（第一実施形態）
図１は、本発明における偽造防止形成体（以下、「形成体」という。）（Ｓ）を示す平面図及び潜像画像の拡大図である。
【００２５】
図１（ａ）に示す印刷物（Ｔ）は、例えば、紙幣、パスポート、身分証明書等の貴重印刷物であり、図１（ａ）においては、商品券としている。形成体（Ｓ）は、紙、プラスチックカード等の表面に印刷可能な媒体である基材（１）上における少なくとも一部に備えた印刷領域（Ｚ）内に、形成体（Ｓ）を有している。
【００２６】
図１（ｂ）は、形成体（Ｓ）の構成を示す模式図であり、図１（ｃ）は、形成体（Ｓ）の断面図である。図１（ｂ）及び図１（ｃ）に示すように、形成体（Ｓ）は、第１の潜像画像（Ａ）、第２の潜像画像（Ｂ）及び可視画像（Ｃ）が重複して配置されている。
【００２７】
図２（ａ）及び図２（ｂ）に示すように、形成体（Ｓ）は、正面から視認可能な可視画像（Ｃ）と、判別具（Ｆ）の重ね合わせにより視認可能となる第１の潜像画像（Ａ）と、観察角度の変化により視認可能となる第２の潜像画像（Ｂ）とを有している。以下、詳細に構成を説明する。
【００２８】
まず、図３の構成図を用いて、基材（１）上に形成する第１の潜像画像（Ａ）について説明する。図３（ａ）は、第１の潜像画像（Ａ）を説明する平面図である。１の潜像画像（Ａ）は、判別具（Ｆ）の重ね合わせにより視認可能となる画像である。なお、第１の潜像画像（Ａ）を構成する画線は、詳細について後述するが、基材（１）を傾けて観察した際に、可視画像（Ｃ）を構成する画線を遮蔽する画像である。
【００２９】
図３（ｂ）は、図３（ａ）における一部の領域（Ｐ）の拡大図である。第１の潜像画像（Ａ）は、第１の方向（Ｘ１）に規則的に第１のピッチ（Ｄ１）で複数配置された、盛り上がりを有する第１の画線（２）を有して成る。
【００３０】
第１のピッチ（Ｄ１）は、印刷方法及び第１の画線（２）の画線幅（Ｗ１）を考慮し、第１の画線（２）の画線幅（Ｗ１）と、後述する可視画像（Ｃ）を形成する第３の画線（４）の画線幅とを足した画線幅以上５００μｍ以下の範囲内で適宜設定される。
【００３１】
本実施形態の形成体（Ｓ）は、詳細な視認原理については後述するが、観察角度の変化により、可視画像（Ｃ）を形成する第３の画線（４）が、他の画線の陰となることで、視認可能となる画像が変化する。よって、第１のピッチ（Ｄ１）が、第１の画線（２）の画線幅（Ｗ１）と、可視画像（Ｃ）を形成する第３の画線（４）の画線幅とを足した画線幅未満である場合には、観察角度の変化により視認可能となる画像を明瞭に視認することができず、好ましくない。
【００３２】
反対に、第１のピッチ（Ｄ１）が、５００μｍを超える場合には、第１の潜像画像（Ａ）を構成する複数の第１の画線（２）が一つずつ目視により区別して視認される。よって、印刷領域（Ｚ）を構成する面積が狭い場合、第１の潜像画像（Ａ）の意匠性が低下することから、好ましくない。
【００３３】
第１の潜像画像（Ａ）は、複数配置された第１の画線（２）の一部の位相が異なることで、模様部（Ａ１）、背景部（Ａ２）及び輪郭部（Ａ３）に区分けされる。図３（ａ）において模様部（Ａ１）は、「１２３」の数字を表しているが、それに限らず文字、図形、模様等とすることが可能である。
【００３４】
なお、本実施形態における異なる位相とは、複数の第１の画線（２）が配置された第１の方向（Ｘ１）において、位相が異なることである。
【００３５】
第１の画線（２）においては、第１の画線（２）が配置された第１のピッチ（Ｄ１）の略半分のピッチで位相が異なることが最も望ましい。これは、後述する観察角度の変化により視認可能となる画像と、可視画像（Ｃ）の視認性を高く保つためである。以下、模様部（Ａ１）を形成する第１の画線（２）を第１ａの画線（２ｂ）とし、背景部（Ａ２）を構成する第１の画線（２）を第１ｂの画線（２ａ）として説明する。
【００３６】
図３（ｃ）は、図３（ｂ）におけるＸ−Ｘ’を切断した断面図である。第１の画線（２）の画線幅（Ｗ１）及び画線高さ（ｈ１）は、第１のピッチ（Ｄ１）及び他の画線の画線幅を考慮し、画線幅（Ｗ１）５０〜４５０μｍの範囲内で適宜設定される。
【００３７】
第１の画線（２）の画線幅（Ｗ１）を５０μｍ未満とした場合、用いるインキによっては十分、かつ、安定した画線高さ（ｈ１）を形成しづらいことから、好ましくない。また、画線幅（Ｗ１）が４５０μｍを超える場合、第１の画線（２）と重ならない位置に、可視画像（Ｃ）を形成する第３の画線（４）が配置できる範囲が狭くなり、第３の画線（４）の画線幅（Ｗ１）が狭くなる。よって、可視画像（Ｃ）が視認しづらく、好ましくない。
【００３８】
盛り上がりを有する第１の画線（２）の画線高さ（ｈ１）は、第１のピッチ（Ｄ１）及び他の画線の画線幅及び画線高さを考慮し、画線高さ（ｈ１）２０〜６０μｍの範囲内で適宜設定される。
【００３９】
第１の画線（２）の画線高さ（ｈ１）が２０μｍ未満の場合、観察角度を変化させた際に、可視画像（Ｃ）を形成する第３の画線（４）を十分に遮蔽できず、好ましくない。また、画線高さ（ｈ１）が６０μｍを超える場合、可視画像（Ｃ）が視認しづらく、第１の画線（２）の形状を、安定して保持するのが難しいという理由から、好ましくない。
【００４０】
図３（ｂ）に示すように、模様部（Ａ１）の輪郭である及び輪郭部（Ａ３）を構成する輪郭部（Ａ３）は、第１の画線（２）よりも面積率の小さい輪郭画線（２ｃ）で形成される。
【００４１】
図４は、輪郭画線（２ｃ）を説明する模式図である。図４（ａ）は、第１の方向（Ｘ１）に複数配置された第１の画線（２）を示す。
【００４２】
例えば、複数配置された第１の画線（２）の一部である、第１の画線（２Ｎ１、２Ｎ２、２Ｎ３、２Ｎ４）の位相を第１の方向（Ｘ１）に異ならせて、模様部（Ａ１）と背景部（Ａ２）に区分けすると、図４（ｂ）に示すように、模様部（Ａ１）を構成する第１ａの画線（２ｂ）と背景部（Ａ２）を構成する第１ｂの画線（２ａ）は、図４（ｂ）内に所定の領域（Ｋ１、Ｋ２）で示す模様部（Ａ１）の輪郭において、画線の不連続が生じる。
【００４３】
なお、本実施形態における模様部（Ａ１）の輪郭とは、模様部（Ａ１）と背景部（Ａ２）の境界すべてのことではなく、図４（ｂ）に示すように、第１の方向（Ｘ１）において、模様部（Ａ１）を形成する第１ａの画線（２ｂ）と背景部（Ａ２）を形成する第１ｂの画線（２ａ）が隣り合って配置されている箇所のことである。
【００４４】
画線の不連続が生じた箇所は、画線が連続している箇所と比べて、濃度差が生じる。よって、図５（ａ）に示すように、模様部（Ａ１）と背景部（Ａ２）の境界が肉眼で視認可能となり、潜像である模様部（Ａ１）が、浮き彫りのような状態で視認されてしまう。
【００４５】
そこで、図４（ｃ）に示すように、模様部（Ａ１）と背景部（Ａ２）の境界における濃度差を緩和するために、輪郭部（Ａ３）を形成する。輪郭部（Ａ３）は第１ａの画線（２ｂ）と第１ｂの画線（２ａ）の間に配置した、輪郭画線（２ｃ）から構成される。
【００４６】
画線の不連続箇所においては、所定の領域（Ｋ１）のように、第１ａの画線（２ｂ）と第１ｂの画線（２ａ）が隙間なく第１の方向（Ｘ１）に隣接することで発生した場合には、第１ａの画線（２ｂ）と輪郭画線（２ｃ）を置き替えることで、輪郭画線（２ｃ）を配置する。
【００４７】
なお、本発明において隣接とは、隣り合う二つの画線の少なくとも一部が接していることを言う。
【００４８】
また、画線の不連続箇所が、所定の領域（Ｋ２）のように、第１ａの画線（２ｂ）と第１ｂの画線（２ａ）の隙間が空きすぎることで発生した場合には、第１ｂの画線（２ａ）と第１ａの画線（２ｂ）の間に、輪郭画線（２ｃ）を配置する。
【００４９】
輪郭画線（２ｃ）は、所定の領域（Ｋ１、Ｋ２）内で、背景部（Ａ２）を形成する第１ｂの画線（２ａ）の略半分の画線面積率で形成する。輪郭画線（２ｃ）を配置することで、図５（ｂ）に示すように、肉眼における模様部（Ａ１）と背景部（Ａ２）の濃度の不均衡が、輪郭部（Ａ３）により緩和される。
【００５０】
輪郭画線（２ｃ）は、図４（ｃ）に示すように、模様部（Ａ１）を構成する第１ａの画線（２ｂ）と、背景部（Ａ２）を構成する第１ｂの画線（２ａ）との間に空白部（２ｄ）を有して、第１ａの画線（２ｂ）及び第１ｂの画線（２ａ）とは異なる位相で複数配置される。図４（ｄ）に示すように、第１ａの画線（２ｂ）及び第１ｂの画線（２ａ）と隣接せず、所定の領域（Ｋ１、Ｋ２）で第１ｂの画線（２ａ）の画線幅（Ｗ１）を半分とすることで、略半分の画線面積率の輪郭画線（２ｃ）とすることも可能ではある。
【００５１】
しかしながら、本発明の形成体（Ｓ）は詳細については後述するが、各画像を構成する微細な画線を、積層することで形成される。具体的には、第１の潜像画像（Ａ）を構成する第１の画線（２）上に、更に画線が積層された構成となる。
【００５２】
図４（ｄ）に示すように、輪郭画線（２ｃ）の画線幅を、第１ｂの画線（２ａ）の画線幅の半分とすることで略半分の画線面積率とした場合、その上に積層する画線の画線幅を、さらに狭くする必要がある。よって、製造時においては高い刷り合わせ精度が要求される。
【００５３】
近年インクジェット・プリンタにより、盛り上がりを有する画線を作成することが可能となったが、図４（ｄ）の構成からなる形成体（Ｓ）を、インクジェット・プリンタで作成した場合には、非常に小さなノズル径を有するインクジェット・プリンタを用いなくては、画線を積層することができず、基材（１）上にインキが落下してしまう。また、インクを積層することから、製造時においては、高いインクの着弾位置精度が要求される。
【００５４】
さらには、作成した場合でも、貴重印刷物として流通する過程で、その形状を維持することは難しく、画線が欠けてしまい潜像画像が視認不可能となる可能性もある。
【００５５】
以上のことから、輪郭部（Ａ３）を構成する輪郭画線（２ｃ）は、図４（ｃ）に示すように、模様部（Ａ１）を構成する第１ａの画線（２ｂ）と、背景部（Ａ２）を構成する第１ｂの画線（２ａ）と隣接せずに、略半分の画線面積率で配置される。
【００５６】
なお、図４（ｃ）では、第１ｂの画線（２ａ）の画線幅（Ｗ１）と、輪郭画線（２ｃ）の画線幅を同じとしているが、これに限らず、第１ａの画線（２ｂ）及び第１ｂの画線（２ａ）の間に空白部（２ｄ）を有して配置されていれば、図４（ｅ）に示す円形、図４（ｆ）に示す矩形、図示しないが楕円形、三角形等任意の形状とすることが可能である。
【００５７】
また、輪郭画線（２ｃ）は、他の画線と重ならなければ、所定の領域（Ｋ１、Ｋ２）において任意の位置に配置することが可能であるが、第１ａの画線（２ｂ）と第１ｂの画線（２ａ）の間の中心に配置することが、好ましい。
【００５８】
第１ａの画線（２ｂ）と第１ｂの画線（２ａ）の間の中心に配置することで、第１の潜像画像（Ａ）の濃度の不均衡を、より緩和することが可能となる。
【００５９】
なお、前述した図４では、長方形状の第１の潜像画像（Ａ）を一例として説明したが、後述する第２の潜像画像（Ｂ）を、第１の潜像画像（Ａ）上に配置可能な大きさであれば、適宜形状を選択することが可能である。
【００６０】
図５（ｂ）の領域（Ｐ）においては、斜線状の輪郭部（Ａ３）、模様部（Ａ１）及び背景部（Ａ２）が配置されている。この場合、第１の潜像画像（Ａ）の濃度の不均衡を緩和する、輪郭画線（２ｃ）の配置が異なることから、次に、図を用いて説明する。
【００６１】
図６は、図５（ｂ）の領域（Ｐ）における輪郭画線（２ｃ）を説明する模式図である。図６（ａ）は、第１の方向（Ｘ１）に複数配置された第１の画線（２）を示す。
【００６２】
図６（ａ）において所定の領域（Ｋ３）は、前述した図５（ａ）の領域（Ｐ）である模様部（Ａ１）の一部、つまり、数字の「２」の一部を示す。
【００６３】
所定の領域（Ｋ３）に示す、数字の「２」の一部を、複数配置された第１の画線（２）の一部である、第１の画線（２Ｎ１、２Ｎ２、２Ｎ３、２Ｎ４）の位相を第１の方向（Ｘ１）に異ならせて、模様部（Ａ１）と背景部（Ａ２）に区分けすると、前述した図４（ｂ）と同様に、図６（ｂ）に示すように、模様部（Ａ１）を構成する第１ａの画線（２ｂ）と背景部（Ａ２）を構成する第１ｂの画線（２ａ）は、模様部（Ａ１）の輪郭において、画線の不連続が生じる。
【００６４】
なお、前述した図４では、図６（ｂ）の所定の領域（Ｋ３）に示すように、模様部（Ａ１）の輪郭とは、第１の方向（Ｘ１）において、模様部（Ａ１）を形成する第１ａの画線（２ｂ）と背景部（Ａ２）を形成する第１ｂの画線（２ａ）がすべて隣り合って配置されている箇所のことであったが、図６（ｂ）の模様部（Ａ１）を形成する第１ａの画線（２ｂ）と背景部（Ａ２）を形成する第１ｂの画線（２ａ）のように、一部隣り合って配置されている箇所においても、本実施形態では模様部（Ａ１）の輪郭とする。
【００６５】
次に、前述した図４（ｃ）と同様に、図６（ｃ）に示すように、模様部（Ａ１）と背景部（Ａ２）の境界における濃度差を緩和するために、第１ａの画線（２ｂ）と第１ｂの画線（２ａ）の間に輪郭画線（２ｃ）を配置する。
【００６６】
模様部（Ａ１）の形状によっては、輪郭画線（２ｃ）と、空白部（２ｄ）を有して配置された隣り合う第１の画線（２）との距離が異なる場合がある。例えば、図６（ｃ）内において、太線で示す所定の領域（Ｋ４）は、輪郭画線（２ｃ）と、隣り合う第１の画線（２）である第１ｂの画線（２ａ）との距離（Ｊ）が、他の図６（ｃ）内における輪郭画線（２ｃ）と比べ、空きすぎている。
【００６７】
複数の輪郭画線（２ｃ）において、輪郭画線（２ｃ）と、隣り合う第１の画線（２）である第１ａの画線（２ｂ）と第１ｂの画線（２ａ）の距離が異なる場合、模様部（Ａ１）と背景部（Ａ２）の境界において、濃度差が生じる。例えば、図６（ｃ）の所定の領域（Ｋ４）のように、他の図６（ｃ）内における輪郭画線（２ｃ）と比べて隙間が空きすぎた場合、そこだけ濃度が低く（白く）視認されてしまうことで、判別具を用いて視認可能となる第１の潜像画像（Ａ）の隠蔽性が低下する。
【００６８】
模様部（Ａ１）と背景部（Ａ２）の境界において濃度差が生じない為に、図６（ｄ）の所定の領域（Ｋ４）に示すように、輪郭画線（２ｃ）は、隣り合う第１の画線（２）である、第１ａの画線（２ｂ）及び第１ｂの画線（２ａ）との距離が等しくなるように、輪郭画線（２ｃ）の一部の形状を異ならせて配置されるのが、好ましい。
【００６９】
図６（ｄ）に太線で示す、所定の領域（Ｋ４）は、空白部（２ｄ）に第１ａの画線（２ｂ）及び第１ｂの画線（２ａ）との距離が等しくなるように、輪郭画線（２ｃ）の形状が他の輪郭画線（２ｃ）と異なっている。例えば、図６（ｄ）においては、二つの輪郭画線（２ｃ）が配置されることで、他の一つの輪郭画線が配置された箇所とは、形状が異なっている。なお、距離を等しくする場合には、図６（ｄ）に示すように、隣接して配置されても、隙間を有して配置されてもどちらでも良い。
【００７０】
また、他の輪郭画線（２ｃ）の形状を異ならせる配置としては、所定の領域（Ｋ４）に配置した一つの輪郭画線（２ｃ）の画線幅を広くすることで、隣り合う第１の画線（２）との距離を等しくすることも可能である。
【００７１】
このように、模様部（Ａ１）の形状に合わせて、適宜、輪郭部（Ａ３）を形成する輪郭画線（２ｃ）を配置することで、ユーザが模様部（Ａ１）の形状を自由に設計することが可能となる。
【００７２】
なお、図６（ｄ）の所定の領域（Ｋ４）において、輪郭画線（２ｃ）は第１の方向（Ｘ１）に隙間なく隣接しているが、模様部（Ａ１）の視認性を低下させなければ、適宜離して配置することも可能である。
【００７３】
盛り上がりを有する第１の画線（２）は、基材（１）上に、発泡インキ等の盛り上げ材をインキとして用いて平版印刷及び凸版印刷を行うことで形成する。また、他の形成方法としては、凹版印刷及び孔版印刷、又は、盛り上がりを有するインキを印刷可能なインクジェット・プリンタ等によるハードコピー出力により形成する。
【００７４】
なお、第１の画線（２）に用いられる色材は特に限定されないが、基材（１）を傾けて観察した際に、可視画像（Ｃ）を形成する第３の画線（４）を十分に遮蔽できるように、第３の画線（４）に用いた色材よりも明度の低い色材であることが望ましい。
【００７５】
次に、第１の画線（２）について説明する。図７は、画線の一例を示す図である。画線とは、図７（ａ）、図７（ｂ）、図７（ｃ）及び図７（ｄ）に示すような、直線、サイン波、三角波、鋸波、矩形波等公知の画線のことである。また、図７（ｅ）、図７（ｆ）、図７（ｇ）、図７（ｈ）、図７（ｉ）及び図７（ｊ）に示すような、円形状、多角形状、文字形状等の画素や、点を、線状に構成したものも、本発明における画線とする。なお、本実施形態については画線を、図７（ａ）に示す直線状の画線として説明する。
【００７６】
次に、第１の潜像画像（Ａ）の上に重ねて形成する第２の潜像画像（Ｂ）について説明する。図８（ａ）は、第２の潜像画像（Ｂ）を説明する平面図である。第２の潜像画像（Ｂ）は、基材（１）に対して斜めから観察した際に視認可能となる図柄のことである。図８（ａ）においては、ＮＰＢのアルファベットとしているが、それに限らず文字、数字、模様等とすることが可能である。
【００７７】
図８（ｂ）は、図８（ａ）における一部の領域（Ｐ）の拡大図である。なお、図８（ａ）については、第２の画線（３）のみを模式的に示しているが、図８（ｂ）及び図８（ｃ）については、第１の画線（２）と第２の画線（３）の積層状態を示すために、第１の画線（２）を点線で図示する。
【００７８】
第２の潜像画像（Ｂ）は、盛り上がりを有する第２の画線（３）が、第１の画線（２）を配置した方向と同じ第１の方向（Ｘ１）に規則的に複数配置されて成る。
【００７９】
前述のとおり本実施形態の形成体（Ｓ）は、観察角度の変化により、可視画像（Ｃ）を構成する第３の画線（４）が他の画線に遮蔽されることで、視認可能となる画像が変化する。よって、第３の画線（４）を、第１の画線（２）及び第２の画線（３）で遮蔽するために、三つの画線（２、３、４）は、同じ方向に配置する。
【００８０】
第２の潜像画像（Ｂ）を構成する第２の画線（３）は、すべて第１の潜像画像（Ａ）を構成する第１の画線（２）の上に積層して配置する。よって、第２の潜像画像（Ｂ）の形状（図柄）に合わせて、図８（ｂ）に示すように、前述した第１の潜像画像（Ａ）を構成する第１ａの画線（２ｂ）、第１ｂの画線（２ａ）及び輪郭画線（２ｃ）の上に第２の画線（３）を配置する。
【００８１】
よって、第２の潜像画像（Ｂ）は、第１ａの画線（２ｂ）の上に形成された第２ａの画線（３ｂ）と、第１ｂの画線（２ａ）の上に形成された第２ｂの画線（３ａ）と、輪郭画線（２ｃ）の上に形成された第２ｃの画線（３ｃ）から形成される。第１の潜像画像（Ａ）と同様に、第２ａの画線（３ｂ）と第２ｂの画線（３ａ）は位相が異なるが、第２ｃの画線（３ｃ）により濃度の不均一が緩和されることで、肉眼においては濃度が均一な画像として視認することが可能となる。
【００８２】
図８（ｃ）は、図８（ｂ）におけるＸ−Ｘ’を切断した断面図である。第２の画線（３）の画線幅（Ｗ２）は、第１のピッチ（Ｄ１）及び他の画線（２、４）の画線幅を考慮し、第１の画線（２）と同様に画線幅（Ｗ２）５０〜４５０μｍの範囲内で適宜設定するが、第１の画線（２）の画線幅（Ｗ２）以下とする。第２の画線（３）の画線幅（Ｗ２）が、下に配置する第１の画線（２）の画線幅（Ｗ１）を超える場合、傾けて視認可能となる第２の潜像画像（Ｂ）が、正面においても視認可能となり、好ましくない。
【００８３】
盛り上がりを有する第２の画線（３）の画線高さ（ｈ２）は、第１のピッチ（Ｄ１）と、第１の画線（２）及び第３の画線（４）の画線幅及び画線高さを考慮し、第１の画線（２）と同様に、画線高さ（ｈ２）２０〜６０μｍの範囲内で適宜設定される。なお、盛り上がりを有する第２の画線（３）は、前述した第１の画線（２）と同様の形成方法により基材（１）上に付与することから、説明を省略する。
【００８４】
第２の画線（３）は、第２の色材により形成される、第２の色材は、第２の画線（３）の下に配置される第１の画線（２）を形成する第１の色材と等色とする。第１の色材と第２の色材を等色とすることで、正面から視認した際に、第１の画線（２）及び第２の画線（３）を区別して視認することができず、第２の潜像画像（Ｂ）が識別不可能となる。
【００８５】
なお、本発明における等色とは、二つの画線を自然光下で視認した際に区別できない又は区別することが困難な色相の差異を含むものである。
【００８６】
また、他の構成としては、第２の色材を、透過性を有する色材とし、第１の色材を第２の色材よりも明度の低い色材とする。例えば、第１の画線（２）を黒色の色材により形成し、第２の画線（３）を、透過性を有するシアン色で形成した場合、透過性を有するシアン色は下に配置される黒色に透過吸収されて、正面からは黒色として視認される。
【００８７】
なお、本実施形態における透過吸収とは、半透明の色材の下に、半透明の色材よりも明度の低い色材を形成し、その二つの色材を正面から視認した際に、明度の低い色材により、半透明の色材が識別不可能となることを言う。
【００８８】
よって、第２の色材を半透明の色材とし、第１の色材を第２の色材よりも明度の低い色材とすることで、前述した等色の色材とした場合と同様に、正面から視認した際に、第１の画線（２）及び第２の画線（３）を区別して視認することができず、第２の潜像画像（Ｂ）が識別不可能となる。以下、本実施形態は、第２の色材を半透明の色材とし、第１の色材を第２の色材よりも明度の低い色材として説明する。
【００８９】
次に、正面から視認可能な画像である可視画像（Ｃ）について説明する。図９（ａ）は、可視画像（Ｃ）を説明する平面図である。図９（ａ）においては、可視画像（Ｃ）は三つのダイヤの図形としているが、それに限らず文字、数字、模様等とすることが可能である。
【００９０】
図９（ｂ）は、図９（ａ）における一部の領域（Ｐ）の拡大図である。可視画像（Ｃ）と、前述した第１の潜像画像（Ａ）及び第２の潜像画像（Ｂ）は基材（１）上における領域（Ｚ）内に重複して配置されるが、可視画像（Ｃ）を構成する第３の画線（４）と、積層して配置した第１の画線（２）及び第２の画線（３）は、重ならない位置に配置される。よって、第３の画線（４）と、積層して配置された第１の画線（２）及び第２の画線（３）は、第１の方向（Ｘ１）に一つずつ交互に配置されることで、観察角度の変化により、第３の画線（４）が第１の画線（２）に遮蔽される。
【００９１】
可視画像（Ｃ）は、第３の画線（４）が、第１の画線（２）及び第２の画線（３）を配置した方向と同じ第１の方向（Ｘ１）に規則的に複数配置されて成る。
【００９２】
前述のとおり本実施形態の形成体（Ｓ）は、観察角度の変化により、可視画像（Ｃ）を構成する第３の画線（４）が他の画線に遮蔽されることで、視認可能となる画像が変化する。よって、第３の画線（４）を、第１の画線（２）及び第２の画線（３）で遮蔽するために、三つの画線（２、３、４）は、同じ方向に配置する。
【００９３】
可視画像（Ｃ）を構成する第３の画線（４）は、すべて第１の潜像画像（Ａ）を構成する第１の画線（２）の画線長さ以下で、第１の画線（２）と重ならない位置に配置する。
第１の画線（２）の画線長さとは、第１の画線（２）における、画線幅方向である第１の方向（Ｘ１）と垂直する方向（Ｘ２）の長さのことである。
【００９４】
なお、第３の画線（４）は、第１の画線（２）と重ならない位置であれば、図９（ｂ）に示すように、第１の画線（２）と隣接して配置されていても、図示しないが隙間を有して配置されていても、どちらでも可能である。しかしながら、観察角度の変化により、可視画像（Ｃ）を構成する第３の画線（４）を他の画線に遮蔽されやすくするために、図９（ｂ）に示すように、第１の画線（２）と隣接して配置されることが好ましい。
【００９５】
第３の画線（４）を、盛り上がりを有する第１の画線（２）の画線長さ以下で配置することで、観察角度の変化によりすべての第３の画線（４）が、第１の画線（２）に遮蔽される。それにより、可視画像（Ｃ）から、第２の潜像画像（Ｂ）へと完全な画像のチェンジ効果を有する形成体（Ｓ）となる。
【００９６】
よって、可視画像（Ｃ）の形状（図柄）に合わせて、図９（ｂ）に示すように、前述した第１の潜像画像（Ａ）を構成する第１ａの画線（２ｂ）、第１ｂの画線（２ａ）及び輪郭画線（２ｃ）と第１の方向（Ｘ１）に隣接する位置に第３の画線（４）を配置する。
【００９７】
以上、可視画像（Ｃ）は、第１ａの画線（２ｂ）と隣接する位置に配置された第３ａの画線（４ｂ）と、第１ｂの画線（２ａ）と隣接する位置に配置された第３ｂの画線（４ａ）と、輪郭画線（２ｃ）と隣接する位置に配置された第３ｃの画線（４ｃ）から形成される。第１の潜像画像（Ａ）と同様に、第３ａの画線（４ｂ）と第３ｂの画線（４ａ）は位相が異なるが、第３ｃの画線（４ｃ）により濃度の不均一が緩和されることで、肉眼においては濃度が均一な画像として視認することが可能となる。
【００９８】
図９（ｃ）は、図９（ｂ）におけるＸ−Ｘ’を切断した断面図である。第３の画線（４）の画線幅（Ｗ３）及び画線高さ（ｈ３）は、第１のピッチ（Ｄ１）及び他の画線（２、３）の画線幅を考慮し、画線幅（Ｗ３）２５〜２５０μｍ、画線高さ（ｈ３）１５μｍ以下の範囲内で適宜設定される。
【００９９】
第３の画線（４）の画線幅（Ｗ３）を２５μｍ未満とした場合、一般的な印刷方式では再現しづらく、また、正面から視認可能となる可視画像（Ｃ）を識別しにくいことから、好ましくない。
【０１００】
反対に、第３の画線（４）の画線幅（Ｗ３）が２５０μｍを超える場合と、第３の画線（４）の画線高さ（ｈ３）が１５μｍを超える場合は、観察角度の変化により視認可能となる画像を形成する画線を、２５０μｍ以上の画線高さで形成しなくてはならず、画線が欠けて形成体（Ｓ）の耐久性が低下することから、好ましくない。
【０１０１】
第３の画線（４）は、基材（１）上に平版印刷、凹版印刷、インクジェット・プリンタ等によるハードコピー出力により形成する。ハードコピー出力による第３の画線（４）の形成は、基材（１）に対して公知の印刷方法及び印刷方法に適した版面、インキ等を用いて印刷を行うことで形成する。
【０１０２】
第３の画線（４）は、第３の色材により形成される。第３の色材については特に限定するものではないが、明度が低く、基材（１）の表面色と明確に区別のつく色が望ましい。例えば、基材（１）の表面色が白色、クリーム色等明度の高い色とし、第３の色材をイエローのように明度の高い色とした場合、基材（１）の表面色及び第３の色材は区別しづらいことから、好ましくない。
【０１０３】
次に、第１の潜像画像（Ａ）、第２の潜像画像（Ｂ）及び可視画像（Ｃ）の積層状態について説明する。図１０（ａ）は、基材（１）に対する第１の潜像画像（Ａ）、第２の潜像画像（Ｂ）及び可視画像（Ｃ）の積層状態を示す模式図である。基材（１）上における印刷領域（Ｚ）内に、可視画像（Ｃ）が形成され、可視画像（Ｃ）の上に第１の潜像画像（Ａ）が重なって形成され、更に第１の潜像画像（Ａ）の上に第２の潜像画像（Ｂ）が重なって形成される。
【０１０４】
なお、第１の潜像画像（Ａ）、第２の潜像画像（Ｂ）及び可視画像（Ｃ）が重なるとは、あくまでも画像同士が重なるという意味であって、前述のとおり各画像を構成する画線同士がすべて重なるという意味ではない。
【０１０５】
図１０（ｂ）は、図１０（ａ）における一部の領域（Ｐ）の拡大図を示す模式図であり、図１０（ｃ）は、図１０（ｂ）におけるＸ−Ｘ’を切断した断面図である。なお、図１０（ｂ）は、基材（１）上にすべての画像（Ａ、Ｂ、Ｃ）が積層された状態を示す。
【０１０６】
図１０（ｂ）及び図１０（ｃ）に示すように、第２の潜像画像（Ｂ）を形成する第２の画線（３）は、第１の潜像画像（Ａ）を形成する第１の画線（２）の画線幅以下で第１の画線（２）上に積層して配置される。また、可視画像（Ｃ）を形成する第３の画線（４）は、積層して配置された第１の画線（２）及び第２の画線（３）と重ならない位置に配置される。
【０１０７】
第３の画線（４）と、積層して配置された第１の画線（２）及び第２の画線（３）が重なる場合には、正面から視認される可視画像（Ｃ）が不鮮明に視認され、好ましくない。また、潜像画像である第２の潜像画像（Ｂ）の一部が正面から視認されてしまい、好ましくない。
【０１０８】
次に、以上の構成から成る形成体（Ｓ）の視認状態について説明する。図１１（ａ）は、形成体（Ｓ）を、基材（１）に対して正面である第１の観察角度（Ｅ１）から観察した際の模式図であり、図１１（ｂ）は、図１１（ａ）における一部の領域（Ｐ）の拡大図であり、図１１（ｃ）は、図１１（ｂ）におけるＸ−Ｘ’を切断した断面図である。
【０１０９】
なお、形成体（Ｓ）に対する第１の観察角度（Ｅ１）と、基材（１）に対する第１の観察角度（Ｅ１）は、同一であることから、以下、基材（１）は省略し、形成体（Ｓ）を第１の観察角度（Ｅ１）から観察したとし、他の観察角度も同様とする。
【０１１０】
第３の画線（４）は、積層して配置した第１の画線（２）及び第２の画線（３）と重ならない位置に配置していることから、第１の観察角度（Ｅ１）から観察した場合視認可能となり可視画像（Ｃ）が視認される。
【０１１１】
積層して配置された、第１の画線（２）は低明度の第１の色材により形成され、第２の画線（３）は有色透過性の第２の色材により形成している。また、第１の画線（２）の画線幅は、第２の画線（３）の画線幅以上で形成される。
【０１１２】
よって、下層に形成した第１の画線（２）で、上層に形成した第２の画線（３）の色材が透過吸収され、二つの画線（ｂ１、ｃ１）を肉眼で区別して視認することが不可能となり、下層に配置した複数の第１の画線（２）から成る第１の潜像画像（Ａ）が視認される。
【０１１３】
以上、形成体（Ｓ）を第１の観察角度（Ｅ１）から観察した場合、図１１（ａ）に示すように、可視画像（Ｃ）及び第１の潜像画像（Ａ）が視認可能となるが、可視画像（Ｃ）と第１の潜像画像（Ａ）の面積率の差及び／又は色相の差により可視画像（Ｃ）が有意的に視認される。以下、本実施形態では、所定の観察角度において、二つの画像（例えば、画像Ａと画像Ｂ）が視認可能となる場合でも、面積率の差及び／又は色相の差により、一方の画像（例えば、画像Ａ）が有意的に視認される。
【０１１４】
なお、本発明でいう色相とは「赤みを帯びた色」又は「青みを帯びた色」等の画像全体の相対的な色みの違いを区別するものであって、「赤」又は「青」等の絶対的な色を指すものではない。
【０１１５】
次に、形成体（Ｓ）を傾けて観察した場合について説明する。図１２（ａ）は、形成体（Ｓ）を、基材（１）に対して斜めである第２の観察角度（Ｅ２）から観察した際の模式図であり、図１２（ｂ）は、図１２（ａ）における一部の領域（Ｐ）の拡大図であり、図１２（ｃ）は、図１２（ｂ）におけるＸ−Ｘ’を切断した断面図である。なお、第２の観察角度（Ｅ２）とは、形成体（Ｓ）に対して第１の方向（Ｘ１）と同じ方向から観察した際の観察角度である。
【０１１６】
図１２（ｃ）に示すように、形成体（Ｓ）を第２の観察角度（Ｅ２）から観察した場合、第３の画線（４）は、積層して配置された第１の画線（２）及び第２の画線（３）の死角（Ｇ１）となり遮蔽されることから視認できず、複数の第２の画線（３）から成る第２の潜像画像（Ｂ）が視認される。
【０１１７】
第２の画線（３）は、盛り上がりを有して第１の画線（２）上に積層して配置されることから、基材（１）の表面色の一部は、第２の画線（３）を形成する第２の色材により透過吸収されて、第２の画線（３）の色相で視認され、複数の第２の画線（３）から成る第２の潜像画像（Ｂ）が視認される。
【０１１８】
また、第２の画線（３）が積層されない第１の画線（２）は、第１の画線（２）の濃度と色相を保って視認される。
【０１１９】
よって、形成体（Ｓ）を第２の観察角度（Ｅ２）から観察した場合、図１２（ａ）に示すように、第１の潜像画像（Ａ）及び第２の潜像画像（Ｂ）が視認可能となるが、第１の潜像画像（Ａ）と第２の潜像画像（Ｂ）の面積率の差及び／又は色相の差により第２の潜像画像（Ｂ）が視認される。
【０１２０】
次に、形成体（Ｓ）を、判別具（Ｆ）を用いて観察した場合について説明する。図１３（ａ）は、形成体（Ｓ）に施された印刷領域（Ｚ）に、判別具（Ｆ）を重ね合わせて観察した際の模式図であり、図１３（ｂ）は、図１３（ａ）における一部の領域（Ｐ）の拡大図であり、図１３（ｃ）は、図１３（ｂ）におけるＸ−Ｘ’を切断した断面図である。なお、判別具（Ｆ）は、レンチキュラーレンズを用いている。
【０１２１】
図１３（ａ）に示すように、判別具（Ｆ）が印刷領域（Ｚ）に重なったとき、第１の潜像画像（Ａ）が顕在化し、模様部（Ａ１）が視認可能となる。
【０１２２】
前述のとおり、判別具（Ｆ）にはレンチキュラーレンズを用いている。レンチキュラーレンズのレンズピッチは、第１のピッチ（Ｄ１）と同じピッチであることから、図１３（ｃ）に示すように、判別具（Ｆ）であるレンチキュラーレンズの焦点であるレンズの中心（Ｌ１）下に、模様部（Ａ１）を構成する第１ａの画線（２ｂ）が配置されると、観察者からは模様部（Ａ１）を構成する第１ａの画線（２ｂ）が第１の方向（Ｘ１）に拡張したように見える。
【０１２３】
よって、形成体（Ｓ）に判別具（Ｆ）を重ねて観察した場合、図１３（ａ）に示すように、第１の潜像画像（Ａ）の模様部（Ａ１）が視認可能となる。
【０１２４】
また、形成体（Ｓ）を、判別具（Ｆ）を用いて観察した場合については、判別具（Ｆ）をずらして重ねることで、顕像化される画像が変化する。図１４（ａ）は、形成体（Ｓ）に施された印刷領域（Ｚ）に、判別具（Ｆ）をずらして観察した際の模式図であり、図１４（ｂ）は、図１４（ａ）における一部の領域（Ｐ）の拡大図であり、図１４（ｃ）は、図１４（ｂ）におけるＸ−Ｘ’を切断した断面図である。なお、判別具（Ｆ）は、図１３と同じレンチキュラーレンズを用いている。
【０１２５】
前述した図１３においては、判別具（Ｆ）であるレンチキュラーレンズの焦点であるレンズの中心（Ｌ１）下に、模様部（Ａ１）を構成する第１ａの画線（２ｂ）が配置するように重ね合わせることで、模様部（Ａ１）を視認可能としていた。よって、図１４（ｃ）に示すように、レンチキュラーレンズの焦点であるレンズの中心（Ｌ１）下に、背景部（Ａ２）を構成する第１ｂの画線（２ａ）が配置するように重ね合わせた場合には、観察者からは背景部（Ａ２）を構成する第１ｂの画線（２ａ）が第１の方向（Ｘ１）に拡張したように見える。
【０１２６】
よって、図１４（ａ）に示すように、第１の潜像画像（Ａ）の背景部（Ａ２）が視認可能となる。
【０１２７】
以上、本発明の形成体（Ｓ）は、盛りのある画線を多層構成とすることで、観察角度の変化により、可視画像（Ｃ）と第２の潜像画像（Ｂ）が変化して視認され、さらに判別具（Ｆ）を重ねることで、可視画像（Ｃ）から第１の潜像画像（Ａ）と変化して視認される。第１の潜像画像（Ａ）、第２の潜像画像（Ｂ）及び可視画像（Ｃ）は、多層構成とすることで、互いの異なる色及び形状とすることが可能となり、意匠性に優れている。
【０１２８】
よって、本発明の形成体（Ｓ）は、目視及び判別具（Ｆ）により、容易に、形成体（Ｓ）の真偽を判定することが可能となるだけではなく、従来よりも、意匠性に優れた潜像画像が付与された形成体（Ｓ）となる。
【０１２９】
なお、本発明の形成体（Ｓ）は、可視画像（Ｃ）を有さずに、第１の潜像画像（Ａ）及び第２の潜像画像（Ｂ）のみから構成することも可能である。その際には、図１５に示すように、第１の潜像画像（Ａ）及び第２の潜像画像（Ｂ）が積層された状態となる。
【０１３０】
また、図１５に示す、二つの潜像画像のみから成る形成体（Ｓ）は、図１６に示すように、第１の潜像画像（Ａ）が視認可能となるが、第１の潜像画像（Ａ）は、判別具を重ねた際に有意味情報が出現する画像であることから、肉眼においては、濃度が一様なベタ画像が視認される。以下、本発明の形成体（Ｓ）は、可視画像（Ｃ）、第１の潜像画像（Ａ）及び第２の潜像画像（Ｂ）の三つの画像から成る形成体（Ｓ）として説明する。
【０１３１】
なお、前述した各画線（２、３、４）を形成する色材のうち、少なくとも一つの色材が、一つの機能性材料を含むことも可能である。機能性材料とは、蛍光顔料、燐光顔料、蓄光顔料、フォトクロミック顔料、赤外反射、蛍光発光、磁性、各種電子線による作用を備えた材料等の公知の機能性を有する材料のことである。機能性材料を含む場合、形成体（Ｓ）に対する、観察角度の変化による画像のチェンジ効果に加えて、各種の機能性を追加することができる。
【０１３２】
例えば、第２の画線（３）に蛍光発光材料を加えた場合、第１の観察角度（Ｅ１）から可視画像（Ｃ）が視認され、第２の観察角度（Ｅ２）から第２の潜像画像（Ｂ）が視認され、判別具（Ｆ）により第１の潜像画像（Ａ）が視認され、さらに紫外波長光を照射した際には、発光した第２の潜像画像（Ｂ）が視認される。
【０１３３】
また、他の構成としては、第２の画線（３）を形成する第２の色材に磁性材料を加えた場合、観察角度の変化による真偽判別に加え、公知の磁気ヘッドを有する読取装置により磁気強度を読み取ることで、機械読取により形成体（Ｓ）の真偽判別を行うことが可能となる。
【０１３４】
従来の偽造防止印刷物も、機能性材料を含む色材を用いることで、その機能性材料が有する機能性が付与された印刷物は存在するが、盛り上がりを有しない印刷画線は、画線内に機能性材料を多く含むことができず、機能性材料が有する機能性の効果を十分に発揮することができないという問題があった。
【０１３５】
しかしながら、本発明の形成体（Ｓ）は、盛り上がりを有する画線から成る構成であることから、各画線（２、３、４）を形成する色材に、機能性材料を十分に含有させることが可能となる。よって、機能性材料が有する機能性に対応した、二次認証により真偽判別を行うことが可能となる。
【０１３６】
さらに、本発明の形成体（Ｓ）は、積層構造であることから、各層を構成する色材に互いに異なる機能性材料を含むことも可能となり、より偽造防止効果が向上した形成体（Ｓ）となる。
【０１３７】
なお、前述した可視画像（Ｃ）は、二値画像であったが、階調画像とすることも可能である。次に、可視画像（Ｃ）を、階調画像とした例を説明する。図１７（ａ）は、形成体（Ｓ）を、基材（１）に対して正面である第１の観察角度（Ｅ１）から観察した際の模式図であり、図１７（ｂ）は、図１７（ａ）における一部の領域（Ｐ）の拡大図であり、図１７（ｃ）は、図１７（ｂ）におけるＸ−Ｘ’を切断した断面図である。
【０１３８】
図９において前述した可視画像（Ｃ）は、可視画像（Ｃ）を構成する第３の画線（４）の画線幅が一定であった。しかしながら、図１７（ｂ）に示すように、複数の第３の画線（４）は、一本の第３の画線（４）内において、少なくとも二箇所以上画線幅（Ｗ３）が異なる画線を複数有することで、複数の第３の画線（４）から成る可視画像（Ｃ）の画線面積率に、部分的な変化が生じることで、可視画像（Ｃ）に任意の階調画像を付与することが可能となる。
【０１３９】
例えば、画線幅（Ｗ３）を広くした場合には、可視画像（Ｃ）の画線面積率が高くなり、画線幅（Ｗ３）を狭くした場合には、可視画像（Ｃ）の画線面積率が低くなる。
【０１４０】
図１７においては、可視画像（Ｃ）である魚の形状に階調を付与している。階調を付与する場合でも、第３の画線（４）を形成する色材は、前述した色材と同様であることから、説明を省略する。また、画線幅（Ｗ３）では、前述した範囲内で、積層した第１の画線（２）及び第２の画線（３）と、重なり合うことなく配置する。
【０１４１】
次に、前述した形成体（Ｓ）を作成する際に用いる、画線データの作成方法について説明する。なお、図１５及び図１６を用いて説明したとおり、本発明の形成体（Ｓ）は、可視画像（Ｃ）を有さずに、第１の潜像画像（Ａ）及び第２の潜像画像（Ｂ）のみから構成することも可能であるが、可視画像（Ｃ）、第１の潜像画像（Ａ）及び第２の潜像画像（Ｂ）の三つの画像から成る形成体（Ｓ）を作成する際に用いる、画像データの作成方法として、以下説明する。
【０１４２】
図１８は、形成体（Ｓ）の作成装置（Ｍ）である。作成装置（Ｍ）は、入力部（Ｕ１）、編集部（Ｕ２）及び記憶部（Ｕ３）を少なくとも備えている。
【０１４３】
入力部（Ｕ１）は、形成体（Ｓ）の作成に必要なデータを取得し、編集部（Ｕ２）に与える手段である。
【０１４４】
編集部（Ｕ２）は、与えられたデータを記憶部（Ｕ３）に格納するとともに、形成体（Ｓ）の作成に必要な演算処理、画像処理等のすべてを行い、得られた結果を印刷部（Ｕ４）に与える。
【０１４５】
記憶部（Ｕ３）は、形成体（Ｓ）の作成に必要なデータを、編集部（Ｕ２）の演算に必要な各種データ及びその演算結果を記憶する手段である。
【０１４６】
形成体（Ｓ）を作成する際に用いる画線データについては、前述した入力部（Ｕ１）、編集部（Ｕ２）及び記憶部（Ｕ３）により作成することが可能だが、画線データを用いて形成体（Ｓ）を印刷するために、更に、印刷部（Ｕ４）、通信インタフェース（Ｕ５）及び表示体（Ｕ６）を備えることも可能である。
【０１４７】
印刷部（Ｕ４）は、編集部（Ｕ２）から与えられたデータを、印刷して形成体（Ｓ）を得る手段である。印刷部（Ｕ４）には、盛り上がりを有する画線を印刷することが可能な、レーザー・プリンタ、インクジェット・プリンタ、フィルム・セッタ、プレート・セッタ等無版のデジタル印刷装置を用いる。印刷版面を用いないことで、版面作成工程がなくなるだけではなく、詳細については後述するが、複数の形成体（Ｓ）を作成する際に、形成体（Ｓ）ごとに形成する画像を異なる画像とする可変印刷を行うことが可能となる。
【０１４８】
従来、観察角度の変化により潜像画像が出現する印刷物を作成する際、あらかじめ基材（１）に凹凸を付与することで作成していた。そのため、基材（１）の凹凸を損傷することなく印刷することが可能な印刷部（Ｕ４）を用いることを必須としていた。一方、本発明の作成方法により得られる形成体（Ｓ）は、凹凸をインキの盛りにより形成している。よって、盛り上がりを有する画線を印刷することが可能であれば、印刷部（Ｕ４）を公知の印刷方式を行う印刷部（Ｕ４）とすることが可能となる。
【０１４９】
通信インタフェース（Ｕ５）は、図示されていないコンピュータ端末と編集部（Ｕ２）とを接続し、必要に応じてコンピュータ端末と編集部（Ｕ２）との間で情報の転送を行う。例えば、通信インタフェース（Ｕ５）により、あらかじめ登録された外部のデータベースサーバから画像、テキスト等、形成体（Ｓ）の作成に必要な各種データを得ることが可能である。
【０１５０】
表示部（Ｕ６）は、入力されたデータ、演算結果等、形成体（Ｓ）の作成に必要なデータ及び入力条件、コマンド等、作成者に必要な情報を表示する手段であり、例えばＣＲＴ、液晶ディスプレイ等を少なくとも一つ有する。
【０１５１】
図１８の作成装置（Ｍ）を用いて、本実施の形態による形成体（Ｓ）を作成する方法について、その手順を示した図１９のフローチャートを用いて説明する。
【０１５２】
まず、画像データ取得ステップｆ１として、第１の潜像画像（Ａ）の原画像である模様部画像データ（ｉＡ）と、第２の潜像画像（Ｂ）の原画像である第２の潜像画像データと、可視画像（Ｃ）の原画像である可視画像データを、それぞれ作成する。
【０１５３】
なお、本実施の形態で、データはいずれも記憶部（Ｕ３）内に格納されているものであるが、詳細に説明するために、以下模式的に図面に記載する。
【０１５４】
まず、ｆ１−１として、第１の潜像画像（Ａ）の画像データを取得するために、第１の潜像画像（Ａ）の原画像である模様部画像データ（ｉＡ）を編集部（Ｕ２）が作成するか、又はあらかじめ作成及び／又は取得した模様部画像データ（ｉＡ）を入力部（Ｕ１）より取得し、編集部（Ｕ２）を介して記憶部（Ｕ３）に格納する。
【０１５５】
第１の潜像画像（Ａ）は、前述のとおり、可視画像（Ｃ）上に重ねて形成する画像であり、判別具（Ｆ）により視認可能となる画像である。
【０１５６】
なお、本実施形態では、入力部（Ｕ１）で取得する場合と、編集部（Ｕ２）で作成する場合を併せて説明する際には、入力部（Ｕ１）及び編集部（Ｕ２）により作成するとして説明する。
【０１５７】
入力部（Ｕ１）により取得した原画像が、ビットマップによる２値画像データ又はアウトライン図形データ（以下、「デジタルデータ」とする。）でない場合には、デジタルデータへ変換する必要があるため、編集部（Ｕ２）においては、原画像をデジタルデータへ変換するデータ変換手段を更に有することが必要となる。
【０１５８】
よって、入力部（Ｕ１）は、第１の潜像画像（Ａ）の原画像である模様部画像データ（ｉＡ）を取得する入力部（Ｕ１）と、取得した原画像をデジタルデータに変換するデータ変換手段を一つの機器内に備えたスキャナ等の読取機器又はデジタルカメラ、ビデオカメラ、携帯端末等の撮像機器であることが好ましい。データ変換手段を備えた入力部（Ｕ１）とすることで、画像の取得とデジタルデータへの変換を一度に行うことが可能となる。
【０１５９】
また、あらかじめ作成及び／又は取得した画像データを模様部画像データ（ｉＡ）として用いる場合、入力部（Ｕ１）は、あらかじめ作成及び／又は取得した原画像を既にデジタルデータとして記録してあるＣＤ−ＲＯＭ、ＦＤ、ＵＳＢメモリ等の情報記録媒体からデジタルデータを取得するＭＯドライブ、ＣＤ−ＲＯＭドライブ、ＦＤドライブ、イメージカードリーダ等の入出力機器としても良い。
【０１６０】
この場合、前述のとおり、原画像は既にデジタルデータ化されているため、編集部（Ｕ２）を介す必要はない。よって、入力部（Ｕ１）により取得した後、編集部（Ｕ２）を介すことなく、記憶部（Ｕ３）に格納する。  
【０１６１】
画像データにおける画素とは、格子状に配列して画像データを形成する点のことであり、色に関する情報を数値として持つものである。画素により画像を形成する画像形式は、ＴＩＦＦ形式、ＢＭＰ形式等画素により画像を形成可能であれば画像形成に制限はない。いずれの作成又は取得方法においても、記憶部（Ｕ３）に格納した画像データは複数の画素から構成されているが、出力物上では複数の画線から構成される。
【０１６２】
次に、ｆ１−２として、第２の潜像画像（Ｂ）の画像データを取得するために、第２の潜像画像（Ｂ）の原画像である第２の潜像画像データを編集部（Ｕ２）により作成するか、又は外部から通信インタフェース（Ｕ５）を介し、第２の潜像画像データとして入力部（Ｕ１）より取得し、編集部（Ｕ２）を介して記憶部（Ｕ３）に格納する。格納した第２の潜像画像データは、複数の画素から成る。
【０１６３】
第２の潜像画像（Ｂ）は、前述のとおり、基材（１）に対して第２の観察角度（Ｅ２）から視認可能となる図柄のことである。
【０１６４】
次に、ｆ１−３として、可視画像（Ｃ）の画像データを取得するために、可視画像（Ｃ）の原画像である可視画像データを編集部（Ｕ２）により作成するか、又は外部から通信インタフェース（Ｕ５）を介し、可視画像データとして入力部（Ｕ１）より取得し、編集部（Ｕ２）を介して記憶部（Ｕ３）に格納する。格納した可視画像データは、複数の画素から成る。
【０１６５】
可視画像（Ｃ）は、前述のとおり、基材（１）に対して第１の観察角度（Ｅ１）から観察した際に視認可能となる図柄のことである。なお、図１７で示したように、可視画像を階調画像とする場合、ｆ１−３において、階調画像である可視画像データを取得する。なお、画像データ取得ステップｆ１として、ｆ１−１、ｆ１−２及びｆ１−３と、順に説明をしたが、この画像の取得順は一例であり、各画像データを取得する順番に、特に限定はない。
【０１６６】
次に、基本線データ作成ステップｆ２として、第１の潜像画像（Ａ）を構成する画線の基準となる万線状の画線に対して、位置座標、ピッチ及び配列方向を設定し、基本線データを入力部（Ｕ１）又は編集部（Ｕ２）で作成する。作成した基本線データは、記憶部（Ｕ３）に格納する。
【０１６７】
まず、第１の潜像画像（Ａ）を構成する画線の基準となる万線状の画線に対して、位置座標、ピッチ及び配列方向を設定する。
【０１６８】
第１の潜像画像（Ａ）は、図３にて前述したように、複数配置された第１の画線（２）の一部の位相が異なることで、第１ａの画線（２ｂ）から成る模様部（Ａ１）と、第１ｂの画線（２ａ）から成る背景部（Ａ２）に区分けされる。第１の潜像画像（Ａ）は、全て第１の画線（２）を基に構成されていることから、基準の画線は一つである。よって、第１の画線（２）を基準の画線として設定する。
【０１６９】
まず、ｆ２−１として、第１の潜像画像（Ａ）を構成する画線の基準となる万線状の画線に対して、位置座標、ピッチ及び配列方向を設定する。
【０１７０】
第１の画線（２）のピッチである第１のピッチ（Ｄ１）は、基材（１）上への出力方法及び第１の画線（２）の画線幅（Ｗ１）を考慮し、図３を用いて前述した範囲内で適宜設定する。第１の画線（２）の配列方向は、万線状の画線が並行となるように、任意の方向に設定する。
【０１７１】
図２０は、第１の潜像画像（Ａ）を構成する画線の基準となる万線状の画線の画線データである、基本線データ（Ｌ１）を示す模式図である。
【０１７２】
第１の潜像画像（Ａ）は、前述のとおり、可視画像（Ｃ）上に重ねて形成する画像であり、判別具（Ｆ）により視認可能となる画像である。図１に示すように、第１の観察角度（Ｅ１）から観察した際には、第２の潜像画像（Ｂ）を構成する画線が、第１の潜像画像（Ａ）により隠蔽され、第２の観察角度（Ｅ２）から観察した際には、可視画像（Ｃ）を構成する画線は、第１の潜像画像（Ａ）の死角となることで、視認可能となる画像が変化する。
【０１７３】
よって、第１の潜像画像（Ａ）は、同一領域に配置した可視画像（Ｃ）及び第２の潜像画像（Ｂ）を隠蔽するために、基本線データ（Ｌ１）は、可視画像データ及び第２の潜像画像データよりも大きい画像データとする。
【０１７４】
大きい画像データとは、例えば、可視画像データの大きさ（縦×横）が５００ピクセル×１４００ピクセルとし、第２の潜像画像データの大きさが６００ピクセル×１３００ピクセルの場合、基本線データ（Ｌ１）の大きさは、縦横いずれも可視画像データ及び第２の潜像画像データのピクセル数よりも大きく設定することである。前述の数値とした場合には、基本線データ（Ｌ１）の大きさは、縦を６００ピクセルよりも大きく設定し、横を１４００ピクセルよりも大きく設定する。
【０１７５】
なお、基本線データ（Ｌ１）は、図２０では、長方形の図形としているが、可視画像データ及び第２の潜像画像データよりも大きい画像データであれば、それに限らず文字、数字、模様等とすることが可能である。また、基本線データ（Ｌ１）を構成する画線は、図２０に示す直線状の画線に限らず、前述した図７に示す様々な画線を用いることが可能であることは、言うまでもない。
【０１７６】
第１の画線（２）を構成する画線の基準となる万線状の画線に対して少なくとも三点を、基本線データにおける基準点として設定する。図２０では、基本線データ（Ｌ１）の四隅のうち、三点（Ｐ１、Ｐ２、Ｐ３）を基準点として設定する。なお、基本線データは複数の画素から構成されていることから、点とは、一つの画素のことをいう。
【０１７７】
基本線データ（Ｌ１）は、まず、一つ目の基準点（Ｐ１）をゼロ点（０，０）の座標として設定した後、一つ目の基準点（Ｐ１）からＸ方向へ、Ｘ１の距離にある点を二つ目の基準点（Ｐ２）とし、さらに、一つ目の基準点（Ｐ１）からＹ方向へ、Ｙ１の距離にある点を三つ目の基準点（Ｐ３）とした。
【０１７８】
このように、Ｐ１、Ｐ２及びＰ３を、基本線データ（Ｌ１）における基準点に設定する。次に、基本線データ（Ｌ１）を構成する複数の画素に対して、ゼロ点（０，０）に対する距離を示す、固有の位置情報である位置座標を設定する。
【０１７９】
なお、ＴＩＦＦ形式、ＪＰＥＧ形式、ＢＭＰ形式等の一般的な画像形式では、画素が必ず縦横の直交する二つの軸方向に沿って平行に配置されるという特性を持つ。よって、各画像データを構成するすべての画素が、必ず縦横の直交する二つの軸方向に沿って平行に配置されるという特性を持つ場合は、各画像データの縦横方向が自明であり、回転を考慮する必要がないため、基準点は一点のみでよい。以下、本発明では、基準線データが三つの基準点を有した構成として説明する。
【０１８０】
なお、画像データ取得ステップｆ１の後に、基本線データ作成ステップｆ２を説明したが、この作成順については一例であり、ｆ１とｆ２は、どちらを先に行ってもよい。
【０１８１】
次に、第１の潜像画像データ作成ステップｆ３として、編集部（Ｕ２）で、模様部データ（Ａ１ｉ）を基に、基本線データを、模様部（Ａ１）、背景部（Ａ２）及び輪郭部（Ａ３）に区分けされた、第１の潜像画像データを作成する。作成した第１の潜像画像データは、記憶部（Ｕ３）に格納する。
【０１８２】
第１の潜像画像（Ａ）は、図３にて前述したように、複数配置された第１の画線（２）の一部の位相が異なることで、第１ａの画線（２ｂ）から成る模様部（Ａ１）、第１ｂの画線（２ａ）から成る背景部（Ａ２）及び第１ｃの画線（２ｃ）から成る輪郭部（Ａ３）に区分けされる。
【０１８３】
よって、一つの画線からなる基本線データから、模様部（Ａ１）を構成する第１ａの画線（２ｂ）の画線データ、背景部（Ａ２）を構成する第１ｂの画線（２ａ）の画線データ
及び輪郭部（Ａ３）を構成する輪郭画線（２ｃ）の画線データから成るデータを作成する。
【０１８４】
図２１は、第１の潜像画像データ作成ステップを示す模式図である。まず、編集部（Ｕ２）で、図２１（ａ）に示すように、基本線データ（Ｌ１）と模様部画像データ（ｉＡ）を重ねる。
【０１８５】
次に、編集部（Ｕ２）で、図２１（ｂ）に示すように、模様部画像データ（ｉＡ）と重複する基本線データ（Ｌ１）の一部の位相を第１の方向（Ｘ１）にずらし、模様部データ（Ａ１ｉ）と背景部データ（Ａ２ｉ）に区分けをする。
【０１８６】
模様部データ（Ａ１ｉ）を構成する第１ａの画線（２ｂ）の画線データと、背景部データ（Ａ２ｉ）を構成する第１ｂの画線（２ａ）の画線データは、図２１（ｂ）の拡大図に所定の領域（Ｋ１、Ｋ２）で示す、模様部データ（Ａ１ｉ）の輪郭において、画線の不連続が生じる。
【０１８７】
画線の不連続が生じた箇所においては、形成体（Ｓ）として出力した際に、模様部と背景部の濃度差を緩和するために、図２１（ｃ）に示すように、編集部（Ｕ２）において、模様部データ（Ａ１ｉ）を構成する第１ａの画線（２ｂ）の画線データと、背景部データ（Ａ２ｉ）を構成する第１ｂの画線（２ａ）の画線データの間に輪郭画線（２ｃ）の画線データ（２ｃｉ）を配置することで、第１の潜像画像データ（ｉＡ）となる。
【０１８８】
輪郭画線（２ｃ）の画線データ（２ｃｉ）の画線幅は、基本線データ（Ｌ１）の画線幅と同じ画線幅に設定する。
【０１８９】
なお、輪郭部（Ａ３）を生成するために、輪郭画線（２ｃ）の画線データ（２ｃｉ）は、所定の領域（Ｋ１、Ｋ２）内で、背景部データ（Ａ２ｉ）を構成する第１ｂの画線（２ａ）の画線データの略半分の画線面積率で、模様部データ（Ａ１ｉ）及び背景部データ（Ａ２ｉ）を構成する各画線データと隣接しない位置に配置する。
【０１９０】
次に、マスク処理ステップｆ４として、編集部（Ｕ２）で、第１の潜像画像データ（ｉＡ）と、他の画像データである第２の潜像画像データ及び可視画像データをそれぞれ重ねて、各画像データと重複しない第１の潜像画像データ（ｉＡ）を除去したのち、マスク画像データを作成する。作成したマスクデータは、記憶部（Ｕ３）に格納する。
【０１９１】
図２２は、第２の潜像画像データ（ｉＢ）におけるマスク処理ステップを示す模式図である。まず、ｆ４−１として、図２２（ａ）に示す第１の潜像画像データ（ｉＡ）と、図２２（ｂ）に示す第２の潜像画像データ（ｉＢ）を重ねる。図２２（ｃ）は、第１の潜像画像データ（ｉＡ）と第２の潜像画像データ（ｉＢ）を重ねた画像データである。なお、図２２（ｃ）においては、模式的に示す為に、第２の潜像画像データ（ｉＢ）の輪郭を白線で示している。
【０１９２】
次に、第２の潜像画像データ（ｉＢ）と重複しない第１の潜像画像データ（ｉＡ）を除去して第１マスク画像データ（ｉ１）を作成する。図８を用いて前述したとおり、第２の潜像画像（Ｂ）を構成する画線は、第２の潜像画像（Ｂ）の形状（図柄）に合わせて、第１の潜像画像（Ａ）を構成する画線上にすべて配置する必要がある。
【０１９３】
第２の潜像画像データ（ｉＢ）と重複しない第１の潜像画像データ（ｉＡ）を除去する処理を行うことで、第１の潜像画像（Ａ）を構成する画線とすべて重複する画線からのみ構成された画像データである第１マスク画像データ（ｉ１）となる。
【０１９４】
よって、第１の潜像画像（Ａ）を構成する画線と、第１マスク画像データ（ｉ１）を構成する画線は、すべて重複することから、基材（１）上に出力した際には、第２の潜像画像（Ｂ）を構成する画線は、第２の潜像画像（Ｂ）の形状（図柄）に合わせて、第１の潜像画像（Ａ）を構成する画線上にすべて積層して配置することが可能となる。
【０１９５】
ｆ４−１と同様に、ｆ４−２として、可視画像データのマスク処理を行う。具体的には、第１の潜像画像データと、可視画像データを重ねる。次に、可視画像データと重複しない第１の潜像画像データを除去して、第２マスク画像データを作成する。なお、マスク処理ステップｆ４して、ｆ４−１及びｆ４−２と、順に説明をしたが、この処理順は一例であり、処理を行う順番に、特に限定はない。
【０１９６】
次に、形状設定ステップｆ５として、編集部（Ｕ２）で、第１の潜像画像（Ａ）、第２の潜像画像（Ｂ）及び可視画像（Ｃ）を構成する第１の画線（２）、第２の画線（３）及び第３の画線（４）の画線幅及び画線高さをそれぞれ編集部（Ｕ２）により設定する。設定した、各画線の画線幅及び画線高さのデータは、記憶部（Ｕ３）に格納する。
【０１９７】
まず、ｆ５−１として、第１の潜像画像（Ａ）を構成する第１の画線（２）の画線幅（Ｗ１）及び画線高さ（ｈ１）を設定する。なお、輪郭画線（２ｃ）は、第１の画線（２）の画線幅（Ｗ１）及び画線高さ（ｈ１）に設定する。  
【０１９８】
図２３（ａ）は、第１の画線（２）を示す模式図である。なお、図２３は、詳細に説明するために、基材（１）も踏まえて模式的に図示しているが、実際にはデジタルデータとして記憶部（Ｕ３）内に格納されている。画線幅（Ｗ１）及び画線高さ（ｈ１）は、図３を用いて前述した範囲内で適宜設定する。
【０１９９】
次に、ｆ５−２として、第２の潜像画像（Ｂ）を構成する第２の画線（３）の画線幅（Ｗ２）及び画線高さ（ｈ２）を設定する。
【０２００】
図２３（ｂ）は、第２の画線（３）を示す模式図である。画線幅（Ｗ２）及び画線高さ（ｈ２）は、図８を用いて前述した範囲内で適宜設定する。
【０２０１】
次に、ｆ５−３として、可視画像（Ｃ）を構成する第３の画線（４）の画線幅（Ｗ３）及び画線高さ（ｈ３）を設定する。
【０２０２】
図２３（ｃ）は、第３の画線（４）を示す模式図である。画線幅（Ｗ３）及び画線高さ（ｈ３）は、図９を用いて前述した範囲内で適宜設定する。なお、ｆ１−３で取得した可視画像データが、階調画像のデータである場合、図１７を用いて前述した範囲内で適宜第３の画線（４）の画線幅を、広く及び／又は狭く設定する。
【０２０３】
次に、色設定ステップｆ６として、編集部（Ｕ２）で、第１の画線（２）、第２の画線（３）及び第３の画線（４）を形成する色材の色を設定する。設定した、各画線の色データは、記憶部（Ｕ３）に格納する。
【０２０４】
まず、ｆ６−１として、図２３（ａ）に示した第１の画線（２）を形成する第１の色材の色を設定する。
【０２０５】
第１の色材は、特に限定がないが、基材（１）を傾けて観察して第３の画線（４）が第１の画線（２）の陰になった際に、第３の画線（４）を十分に遮蔽できるように、後述する第３の画線（４）に設定した第３の色材よりも、明度の低い色材に設定することが望ましい。
【０２０６】
次に、ｆ６−２として、図２３（ｂ）に示した第２の画線（３）を形成する第２の色材の色を設定する。
【０２０７】
第２の色材は、第２の画線（３）の下に配置する第１の画線（２）を形成する第１の色材と同じ色に設定する。第１の色材と第２の色材を同じ色に設定することで、正面から視認した際に、第１の画線（２）及び第２の画線（３）を区別して視認することができず、第２の潜像画像（Ｂ）が識別不可能となる。
【０２０８】
また、他の色材の設定としては、第２の色材を半透明の色材とし、第１の色材を第２の色材よりも明度の低い色材に設定する。例えば、第１の画線（２）を形成する第１の色材を黒色の色材に設定した場合、第２の画線（３）を形成する第２の色材は、透過性を有するシアン色の色材に設定する。それにより、透過性を有するシアン色の第２の色材は、下に配置した黒色の第１の色材に透過吸収されて、正面からは黒色として視認可能となる。
【０２０９】
なお、本実施形態における透過吸収とは、半透明の色材の下に、半透明の色材よりも明度の低い色材を形成し、その二つの色材を正面から視認した際に、明度の低い色材により、半透明の色材が識別不可能となることを言う。
【０２１０】
よって、第２の色材を半透明の色材に設定し、第１の色材を第２の色材よりも明度の低い色材に設定することで、前述した同じ色の色材とした場合と同様に、正面から視認した際に、第１の画線（２）及び第２の画線（３）を区別して視認することができず、第２の潜像画像（Ｂ）が識別不可能となる。以下、本実施形態は、第２の色材を半透明の色材に設定し、第１の色材を第２の色材よりも明度の低い色材に設定したとして説明する。
【０２１１】
次に、ｆ６−３として、図２３（ｃ）に示した第３の画線（４）を形成する第３の色材の色を設定する。
【０２１２】
第３の色材は、特に限定がないが、明度が低く、基材（１）の表面色と明確に区別のつく色に設定することが望ましい。例えば、用いる基材（１）の表面色が白色、クリーム色等明度の高い色とし、第３の色材をイエローのように明度の高い色とした場合、基材（１）の表面色及び第３の色材は区別しづらいことから、好ましくない。
【０２１３】
なお、形状設定ステップｆ５して、ｆ５−１、ｆ５−２及びｆ５−３と、順に説明をしたが、この処理順は一例であり、形状を設定する順番に特に限定はない。また、色設定ステップｆ６においても、ｆ６−１、ｆ６−２及びｆ６−３と、順に説明をしたが、この処理順は一例であり、色を設定する順番に特に限定はない。
【０２１４】
さらには、形状設定ステップｆ５の後に、色設定ステップｆ６を説明したが、この設定順についても、逆でも良い。例えば、ｆ５−１として、第１の潜像画像（Ａ）を構成する第１の画線（２）の画線幅（Ｗ１）及び画線高さ（ｈ１）を設定したのち、ｆ６−１として、第１の画線（２）を形成する色材の色を設定したのち、ｆ５−２として、第２の潜像画像（Ｂ）の形状設定を行うことも可能である。
【０２１５】
次に、画線データ作成ステップｆ７として、形状設定ステップｆ５及び色設定ステップｆ６で設定した条件である、第１の画線（２）、第２の画線（３）及び第３の画線（４）の画線幅、画線高さ及び色材を基に、編集部（Ｕ２）で第１の画線データ（ｉ３）、第２の画線データ（ｉ４）及び第３の画線データ（ｉ５）を作成する。作成した、各画線データは、記憶部（Ｕ３）に格納する。
【０２１６】
まず、ｆ７−１として、ｆ５−１及びｆ６−１で設定した第１の画線（２）の画線幅、画線高さ及び色材を基に、ｆ３−１で作成した第１の潜像画像データ（ｉＡ）に適用して所定の位置に配置処理を行うことで、第１の画線データ（ｉ３）を作成する。図２４（ａ）は、作成した第１の画線データ（ｉ３）を示す模式図である。画線幅、画線高さ及び色材の適用は、別途、画線設定用の設定パラメータ情報としてその都度設定値を入力するか、あるいは設定パラメータ保管テーブル等から適時設定値を呼び出して作成し、第１の画線データ（ｉ３）は記憶部（Ｕ３）に格納する。
【０２１７】
なお、形成体（Ｓ）を作成する場合、ほとんどの印刷方式において、形成体（Ｓ）と画線データ間ではドットゲインによる画線面積率又は網点面積率の上昇が見込まれることから、画線データの作成にあたっては、あらかじめそれを見込んだ画線面積率又は網点面積率にする必要があることはいうまでもない。
【０２１８】
次に、ｆ７−２として、ｆ５−２及びｆ６−２で設定した第２の画線（３）の画線幅、画線高さ及び色材を基に、ｆ４−２で作成した第１マスク画像データ（ｉ１）に適用して所定の位置に配置処理を行うことで、第２の画線データ（ｉ４）を作成する。図２４（ｂ）は、作成した第２の画線データ（ｉ４）を示す模式図である。作成した、第２の画線データ（ｉ４）は記憶部（Ｕ３）に格納する。
【０２１９】
最後に、ｆ７−３として、ｆ５−３及びｆ６−３で設定した第３の画線（４）の画線幅、画線高さ及び色材を基に、ｆ４−３で作成した第２マスク画像データ（ｉ２）に適用して所定の位置に配置処理を行うことで、第３の画線データ（ｉ５）を作成する。図２４（ｃ）は、作成した第３の画線データ（ｉ５）を示す模式図である。作成した、第３の画線データ（ｉ５）は記憶部（Ｕ３）に格納する。なお、画線データ作成ステップｆ７して、ｆ７−１、ｆ７−２及びｆ７−３と、順に説明をしたが、この処理順は一例であり、画線データを作成する順番に特に限定はない。
【０２２０】
本発明の作成方法により得られる、形成体（Ｓ）を作成するための各画線データは、平坦な基材（１）に対して盛り上がりを有するインキから成る画線を印刷可能とするために、所望の画線高さの情報を有した画線データとしている。
【０２２１】
よって、作成した各画線データを用いて、基材（１）に出力することで、観察角度の変化と、判別具（Ｆ）を重ねるという異なる判別方法により、それぞれ異なる潜像画像が出現する形成体（Ｓ）を、デジタル印刷機を用いたオンデマンド印刷により作成することが可能となる。
【０２２２】
また、盛り上がりを有する画線を複数積層して配置し、その積層した画線を傾けた際に生じる死角を利用することで、可視画像（Ｃ）と第２の潜像画像（Ｂ）が変化して視認される。よって、従来凹凸形状により生じる死角を利用した形成体は、基材（１）自体又は基材（１）上に凹凸形状をあらかじめ、すき入れ、凹版印刷等で形成しておくことが必要であったが、その必要がないことから、画像のデザイン、形状、色等をすべて、ユーザが自由に作成することが可能となる。
【０２２３】
なお、図１５及び図１６を用いて前述のとおり、本発明の形成体（Ｓ）は、可視画像（Ｃ）を有さずに、第１の潜像画像（Ａ）及び第２の潜像画像（Ｂ）のみから構成することも可能である。その際には、図１９に示す、可視画像（Ａ）を作成する際に必要な、第３の画線データを作成するステップ（ｆＸ）を行う必要はない。具体的には、画像データ取得ステップｆ１−３、マスク処理ステップｆ４−２、形状設定ステップｆ６−３、色設定ステップｆ６−３及び画線データステップｆ７−３を行う必要はない。
【０２２４】
前述した作成方法からなる形成体（Ｓ）では、観察角度の変化による画像の出現という一次認証に加え、さらに二次認証を付与することも可能である。形成体（Ｓ）に二次認証を付与する場合には、色設定ステップｆ６において、前述した色材の色の設定に加え、各画線（２、３、４）を形成する色材に含ませる機能性材料の設定を行う。
【０２２５】
以上、本発明の形成体（Ｓ）の作成方法は、色設定と同時に機能性材料の設定を行うことで、ユーザが所望の機能性（二次認証）を、簡易に追加することが可能となる。
【０２２６】
なお、作成した各画線データを用いて、所望の形成体（Ｓ）を作成するために、画線データ作成ステップｆ６後に、積層出力ステップｆ７として、印刷部（Ｕ４）においてｆ６で作成した各画線データを基に、基材（１）上に画線を形成するステップを更に有しても良い。
【０２２７】
基材（１）は、上質紙、コート紙、カード、シート状のプラスチック等、公知の印刷が可能なものを用いる。本発明では、平坦な基材（１）に対して、盛り上がりを有する色材を複数積層することで、凹凸を付与する。よって、従来のように、基材（１）にあらかじめ凹凸をエンボス、すき入れ、凹版印刷等で付与する必要がないことから、用いる基材（１）に特段の限定はなく、従来よりも設計及び出力機の幅が広がる。
【０２２８】
まず、第１の画線データ（ｉ３）を、基材（１）上にデジタル印刷方式により印刷し、複数の盛り上がりを有する第１の画線（２）を形成する。印刷方式は、第１の画線（２）を盛りのある画線として形成することが可能な印刷方式であれば特に限定されるものではない。
【０２２９】
次に、第２の画線データ（ｉ４）を、基材（１）上に印刷した複数の第１の画線（２）の上に印刷し、複数の盛り上がりを有する第２の画線（３）を形成する。印刷方式は、前述した第１の画線（２）と同様の印刷方式とする。
【０２３０】
最後に第３の画線データ（ｉ５）を、基材（１）上に積層して印刷した第１の画線（２）及び第２の画線（３）と重ならない位置に印刷し、複数の第３の画線（４）の上を形成することで、形成体（Ｓ）が得られる。  
【０２３１】
なお、盛り上がりを有する第１の画線（２）及び第２の画線（３）が、一度の印刷で所望の画線高さとならない場合には、所望の高さとなるまで、複数回同一箇所に印刷を繰り返し、画線を形成する。
【０２３２】
本発明の形成体（Ｓ）の印刷方法は、オンデマンド印刷が好ましい。オンデマンド印刷により作成することで、判別具（Ｆ）により視認可能となる第１の潜像画像（Ａ）、観察角度の変化により視認可能となる第２の潜像画像（Ｂ）及び可視画像（Ｃ）を、いずれも形成体（Ｓ）ごとに異なる画像として印刷することが可能となる。すなわち、第１の潜像画像（Ａ）、第２の潜像画像（Ｂ）及び可視画像（Ｃ）を可変画像として扱うことが可能となる。
【０２３３】
さらに、基材（１）上に積層して配置する各画線（２、３、４）を、形成体（Ｓ）の個体ごとに異なる色材を用いて形成することが可能となる。前述のとおり、本実施形態の形成体（Ｓ）は、各画線（２、３、４）を形成する色材のうち、少なくとも一つの色材が、一つの機能性材料を含むことも可能である。よって、異なる色材を用いて形成可能となることで、形成体（Ｓ）に機能性を可変要素として付与することが可能となる。
【０２３４】
よって、無版のデジタル印刷装置である印刷部（Ｕ４）を有する作成装置（Ｍ）により作成することで、傾けるという一次認証により視認可能な画像と、機能性という二次認証と、判別具（Ｆ）という機能性とは異なる二次認証という三つの認証方法により視認可能な画像を、一つの形成体（Ｓ）にいずれも可変要素として付与することが可能となる。
【０２３５】
なお、可視画像（Ｃ）、第１の潜像画像（Ａ）及び第２の潜像画像（Ｂ）を可変画像として、形成体（Ｓ）を作成する場合、画像データ取得ステップｆ１は、作成する複数の可視画像データ、複数の第１の潜像画像データ（ｉＡ）及び複数の第２の潜像画像データのうち、少なくとも一種類の画像データにおいて、少なくとも二つ以上の異なる画像データを、入力部（Ｕ１）又は編集部（Ｕ２）で作成したのち、記憶部（Ｕ３）に格納する。
【０２３６】
また、機能性を可変要素とする場合には、色設定ステップｆ６において、前述した色の設定に加え、各画線（３、４、６）を形成する色材に含ませる機能性材料を、複数の形成体（Ｓ）ごとに異なる機能性材料を設定する。なお、複数の形成体（Ｓ）ごとに設定する場合、形成体（Ｓ）における各画像において、少なくとも一種類の画像において異なる機能性材料を設定する。
【０２３７】
各画像を可変画像として、形成体（Ｓ）を作成する場合、積層出力ステップｆ７の前に、画像データ取得ステップｆ１において記憶部（Ｕ３）に格納した複数の画像データの中から、ユーザが可変画像とする所望の画像データを選択する、データ選択ステップｆ７．５をさらに有する。
【０２３８】
積層出力ステップｆ８は、データ選択ステップｆ７．５において選択した所望の画像データを基に、画線データ作成ステップｆ７によって作成した各画線データを、印刷部（Ｕ４）から、異なる画線データとして出力する。作成した複数の形成体（Ｓ）は、所望の画像が可変情報として付与された形成体（Ｓ）となる。
【０２３９】
例えば、三つの形成体（Ｓ）を作成し、各画像データのうち第１の潜像画像データ（ｉＡ）を可変画像とする場合、五つの異なる画像データを、第１の潜像画像データとして、入力部（Ｕ１）又は編集部（Ｕ２）で作成したのち、記憶部（Ｕ３）に格納する。
【０２４０】
次に、データ選択ステップｆ７．５において、画像データ取得ステップｆ１において記憶部（Ｕ３）に格納した五つの第１の潜像画像データの中から、ユーザが可変画像とする所望の第１の潜像画像データを三つ選択する。
【０２４１】
最後に、積層出力ステップｆ８において、データ選択ステップｆ７．５において選択した三つの第１の潜像画像データを基に、画線データ作成ステップｆ７−１で作成した第１の画線データを、印刷部（Ｕ４）から、異なる画線データとして出力する。作成した三つ形成体（Ｓ）は、第１の潜像画像が、いずれも異なる画像（可変画像）として付与された形成体（Ｓ）となる。
【０２４２】
以上、本発明の形成体（Ｓ）の作成方法は、複数の形成体（Ｓ）を作成する際に、画像データ取得ステップｆ１で複数の画像データを作成し、色設定ステップｆ６で、基材（１）ごとに異なる機能性材料を色材に含ませる設定をし、さらに、データ選択ステップｆ７．５及び積層出力ステップｆ８で、画像データ取得ステップｆ１にて所望の画像データを選び印刷することで、簡易に、画像及び機能性を可変要素として付与することが可能となる。
【０２４３】
よって、一次認証により視認可能な画像に加え、判別具（Ｆ）を重ねる又は機能性材料に対応した環境下で観察するという二次認証においても、ユーザの所望の機能性を自由に可変要素として形成体（Ｓ）に付与することが可能となる。
【符号の説明】
【０２４４】
１    基材
２    第１の画線
２ａ    第１ｂの画線
２ｂ    第１ａの画線
２ｃ    輪郭画線
３    第２の画線
３ａ    第２ｂの画線
３ｂ    第２ａの画線
３ｃ    第２ｃの画線
４                第３の画線
４ａ    第３ｂの画線
４ｂ    第３ａの画線
４ｃ    第３ｃの画線
Ｓ                偽造防止形成体
Ａ                第１の潜像画像
Ａ１    模様部
Ａ２    背景部
Ａ３    輪郭部
Ｂ                第２の潜像画像
Ｃ                可視画像
Ｆ                判別具
ｉＡ    模様部画像データ
Ａ１ｉ    模様部データ
Ａ２ｉ    背景部データ
ｉＢ    第２の潜像画像データ
Ｌ１    基本線データ
ｉ１    第１マスク画像データ
ｉ２    第２マスク画像データ
ｉ３    第１の画線データ
ｉ４    第２の画線データ
ｉ５    第３の画線データ
Ｍ                作成装置
Ｕ１    入力部
Ｕ２    編集部
Ｕ３    記憶部
Ｕ４    印刷部
Ｕ５    通信インタフェース
Ｕ６    表示部
【図１】
2015058598.tif 000003
【図２】
2015058598.tif 000004
【図３】
2015058598.tif 000005
【図４】
2015058598.tif 000006
【図５】
2015058598.tif 000007
【図６】
2015058598.tif 000008
【図７】
2015058598.tif 000009
【図８】
2015058598.tif 000010
【図９】
2015058598.tif 000011
【図１０】
2015058598.tif 000012
【図１１】
2015058598.tif 000013
【図１２】
2015058598.tif 000014
【図１３】
2015058598.tif 000015
【図１４】
2015058598.tif 000016
【図１５】
2015058598.tif 000017
【図１６】
2015058598.tif 000018
【図１７】
2015058598.tif 000019
【図１８】
2015058598.tif 000020
【図１９】
2015058598.tif 000021
【図２０】
2015058598.tif 000022
【図２１】
2015058598.tif 000023
【図２２】
2015058598.tif 000024
【図２３】
2015058598.tif 000025
【図２４】
2015058598.tif 000026